(57)【要約】【課題】斬新な遊技アルゴリズムを提供しつつ、その稼働率を維持することが可能な遊技機を提供する。【解決手段】ぱちんこ遊技機１０において、特定遊技制御手段１２２は、特別遊技の終了後から所定の第１の終期に達するまで次の当否抽選が当りとなる確率を通常確率状態より高い確率変動状態とする。特定遊技制御手段１２２は、第１の終期として特別遊技の終了からの期間の長さが異なる複数の選択対象を保持するとともに、第１の終期を連続して繰り返すための繰り返し回数を保持し、確率変動状態への移行を伴う特別遊技が実行される際に第１の終期を複数の選択対象の中から決定するとともにその繰り返し回数を決定し、その第１の終期が満了するまでに確率変動状態への移行を伴う特別遊技が再度実行される場合には、決定された繰り返し回数に達するまでは、第１の終期として前回と同じ選択対象を決定する。【選択図】図３
2011206473.tif 000002
【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための当否抽選を実行する当否抽選手段と、
前記当否抽選が当りであった場合に前記特別遊技を実行する特別遊技制御手段と、
所定の遊技状態移行タイミングにおいて、遊技状態を複数種の遊技状態のうちいずれかへ移行させる手段であって、前記特別遊技の終了後から所定の第１の終期に達するまで次の当否抽選が当りとなる確率を通常確率状態より高い確率変動状態とする確率変動手段と、前記特別遊技の終了後から所定の第２の終期に達するまで前記始動入賞口への入球容易性を通常入球状態より高い入球容易状態とする入球変動手段と、を含む特定遊技制御手段と、
前記当否抽選が当りである場合、前記確率変動手段を非作動とする確率より高い確率で前記確率変動手段を作動させるとともに、前記確率変動手段が作動して前記入球変動手段が非作動である第１遊技状態と、前記確率変動手段が非作動であり前記入球変動手段も非作動である第２遊技状態と、前記入球変動手段が作動し前記第１遊技状態より遊技者に有利な遊技状態である第３遊技状態と、のうちいずれの遊技状態へ移行させるかをその時点での遊技状態に応じた移行確率にて決定し、前記第１遊技状態において前記第１の終期に達した場合は前記第２遊技状態へ移行させる決定をする特定判定手段と、
を備え、
前記特定判定手段は、前記第１遊技状態における当りの場合は前記第２遊技状態または第３遊技状態へ移行する確率より高い確率で前記第１遊技状態へ移行するよう前記確率変動手段および前記入球変動手段の作動有無を決定し、前記第２遊技状態における当りの場合は前記第１遊技状態または第２遊技状態へ移行する確率より高い確率で前記第３遊技状態へ移行するよう前記確率変動手段および前記入球変動手段の作動有無を決定し、前記第３遊技状態における当りの場合はその特別遊技後に前記第１遊技状態または第２遊技状態へ移行する確率より高い確率で前記第３遊技状態へ移行するよう前記確率変動手段および前記入球変動手段の作動有無を決定し、
前記特定遊技制御手段は、前記第１の終期として前記特別遊技の終了からの期間の長さが異なる複数の選択対象を保持するとともに、前記第１の終期を連続して繰り返すための繰り返し回数を保持し、前記確率変動状態への移行を伴う特別遊技が実行される際に前記第１の終期を前記複数の選択対象の中から決定するとともにその繰り返し回数を決定し、その第１の終期が満了するまでに前記確率変動状態への移行を伴う特別遊技が再度実行される場合には、決定された繰り返し回数に達するまでは、前記第１の終期として前回と同じ選択対象を決定することを特徴とする弾球遊技機。
【請求項２】
前記特定遊技制御手段は、前記複数の選択対象のうち少なくともいずれかを特定期間として保持し、前記特定期間を選択する場合に前記繰り返し回数を設定することを特徴とする請求項１に記載の弾球遊技機。
【請求項３】
前記特定遊技制御手段は、前記複数の選択対象のいずれかを前記繰り返し回数の設定対象とならない基準期間として保持する一方、前記特定期間として前記基準期間よりも短い期間を保持し、前記第１遊技状態において前記基準期間を前記特定期間よりも高い確率で選択することを特徴とする請求項２に記載の弾球遊技機。
【請求項４】
前記特別遊技制御手段は、遊技者が獲得できる利益の大きさが異なる複数種の特別遊技のうち、前記第１遊技状態における当りの場合は相対的に利益の小さい特別遊技を実行する可能性が高く、前記第３遊技状態における当りの場合は相対的に利益の大きい特別遊技を実行する可能性が高いことを特徴とする請求項１から３のいずれかに記載の弾球遊技機。
【請求項５】
前記始動入賞口として、第１の始動入賞口と、前記第１の始動入賞口と異なる位置であって通常の状態において前記第１の始動入賞口より入球困難となる位置に設けられた第２の始動入賞口と、を含み、
前記入球変動手段は、前記入球容易状態において前記第２の始動入賞口への入球容易性を前記第１の始動入賞口への入球容易性より高めた状態とし、
前記特別遊技制御手段は、遊技者が獲得できる利益の大きさが異なる複数種の特別遊技のうち、その当りが前記第１の始動入賞口への入球を契機とした当りであれば前記第２の始動入賞口への入球を契機とした当りよりも高い確率で相対的に利益の小さい特別遊技を実行し、その当りが前記第２の始動入賞口への入球を契機とした当りであれば前記第１の始動入賞口への入球を契機とした当りよりも高い確率で相対的に利益の大きい特別遊技を実行することを特徴とする請求項１から４のいずれかに記載の弾球遊技機。
【発明の詳細な説明】
【技術分野】
【０００１】
本発明は、ぱちんこ遊技機等の弾球遊技機に関し、特に弾球遊技機における遊技の進行を制御する技術に関する。
【背景技術】
【０００２】
従来、各種の弾球遊技機のうち、いわゆる第１種ぱちんこ遊技機と呼ばれていた遊技機においては、遊技盤上に設けられた始動入賞口への入球を契機に当否抽選が行われ、その抽選結果に応じて図柄の変動表示が行われる。すなわち、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、特別遊技へと移行するものとして知られている。特別遊技は大当りとも呼ばれ、遊技盤上に設けられた大入賞口の所定期間の開放を伴う単位遊技が複数回行われ、その大入賞口への入球ごとに所定球数の賞球の払い出しが行われる。その結果、通常遊技より多くの賞球が得られるようになる。表示領域における図柄の変動表示は、単に複数の図柄が変動表示されるだけでなく、いわゆるリーチ画面と呼ばれる状態のように、あと一つ図柄が揃えば大当りとなる状態で変動表示の時間を通常よりも長くする等、遊技者の期待感を高めるための演出が図られている。
【０００３】
遊技機の中には、特別遊技の終了後にいわゆる確率変動遊技（以下「確変」ともいう）と呼ばれる遊技者に有利な特定遊技に移行するものがある。確変では通常の確率状態より当りの確率が高い抽選が行われ、比較的早期に新たな特別遊技が発生するので、遊技者の期待感が一層高められる。また、特別遊技の終了後に始動入賞口への入球容易性を高める特定遊技（その状態を「入球容易状態」ともいう）に移行するものもある。入球容易状態では拡開式の始動入賞口の開放時間が延長されたり、通常の状態より図柄の変動時間が短縮されたりするため、遊技者の期待感が高められる。
【先行技術文献】
【特許文献】
【０００４】
【特許文献１】特開２００９−３９２９３号公報
【特許文献２】特開２００９−３９２９９号公報
【発明の概要】
【発明が解決しようとする課題】
【０００５】
各遊技機における遊技の進行方法によっては、通常とは異なる順序で遊技状態を進行させるような遊技性を実現することもできる。事実、近年の多様化した遊技機の中では、従来なら遊技者に有利となるはずの遊技状態がかえって遊技者に不利となるように遊技を進行させる遊技性も実現されている（例えば特許文献１，２参照）。しかしながら、従来と異なる順序で遊技状態を進行させてしまうと、それまでの遊技アルゴリズムが変更されるため、遊技者に想定外の利益または不利益を与えてしまうことも想定される。特に、それにより遊技者に不利益を与えてしまうことになれば、斬新な遊技性を提供するにもかかわらず、遊技機の稼働率を低下させてしまう可能性がある。
【０００６】
本発明はこうした課題に鑑みてなされたものであり、その目的は、斬新な遊技アルゴリズムを提供しつつ、その稼働率を維持することが可能な遊技機を提供することにある。
【課題を解決するための手段】
【０００７】
上記課題を解決するために、本発明のある態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための当否抽選を実行する当否抽選手段と、当否抽選が当りであった場合に特別遊技を実行する特別遊技制御手段と、所定の遊技状態移行タイミングにおいて、遊技状態を複数種の遊技状態のうちいずれかへ移行させる手段であって、特別遊技の終了後から所定の第１の終期に達するまで次の当否抽選が当りとなる確率を通常確率状態より高い確率変動状態とする確率変動手段と、特別遊技の終了後から所定の第２の終期に達するまで始動入賞口への入球容易性を通常入球状態より高い入球容易状態とする入球変動手段と、を含む特定遊技制御手段と、当否抽選が当りである場合、確率変動手段を非作動とする確率より高い確率で確率変動手段を作動させるとともに、確率変動手段が作動して入球変動手段が非作動である第１遊技状態と、確率変動手段が非作動であり入球変動手段も非作動である第２遊技状態と、入球変動手段が作動し第１遊技状態より遊技者に有利な遊技状態である第３遊技状態と、のうちいずれの遊技状態へ移行させるかをその時点での遊技状態に応じた移行確率にて決定し、第１遊技状態において第１の終期に達した場合は第２遊技状態へ移行させる決定をする特定判定手段と、を備える。
【０００８】
特定判定手段は、第１遊技状態における当りの場合は第２遊技状態または第３遊技状態へ移行する確率より高い確率で第１遊技状態へ移行するよう確率変動手段および入球変動手段の作動有無を決定し、第２遊技状態における当りの場合は第１遊技状態または第２遊技状態へ移行する確率より高い確率で第３遊技状態へ移行するよう確率変動手段および入球変動手段の作動有無を決定し、第３遊技状態における当りの場合はその特別遊技後に第１遊技状態または第２遊技状態へ移行する確率より高い確率で第３遊技状態へ移行するよう確率変動手段および入球変動手段の作動有無を決定する。
【０００９】
特定遊技制御手段は、第１の終期として特別遊技の終了からの期間の長さが異なる複数の選択対象を保持するとともに、第１の終期を連続して繰り返すための繰り返し回数を保持し、確率変動状態への移行を伴う特別遊技が実行される際に第１の終期を複数の選択対象の中から決定するとともにその繰り返し回数を決定し、その第１の終期が満了するまでに確率変動状態への移行を伴う特別遊技が再度実行される場合には、決定された繰り返し回数に達するまでは、第１の終期として前回と同じ選択対象を決定する。
【００１０】
ここで、確率変動状態の終期である「第１の終期」は、例えば当否抽選の結果を示すために変動表示される図柄の変動回数（変動期間）により規定されてもよい。あるいは、時間により規定されてもよい。「第１の終期」は、複数の選択対象の中から抽選により決定されてもよい。また、上記図柄変動について決定された停止図柄に対応づけられるようにしてもよい。「第１の終期の繰り返し回数」は、複数種類の回数の中から抽選等により選択されるものでもよい。あるいは、第１の終期の複数の選択対象のそれぞれに予め繰り返し回数が対応づけられ、第１の終期が決定されると同時にその繰り返し回数が決定されるものであってもよい。第１の終期の種類によっては繰り返し回数が設定されない（または繰り返し回数として０が設定される）ものがあってもよい。入球容易状態の終期である「第２の終期」も、例えば図柄の変動回数（変動期間）により規定されてもよいし、時間により規定されてもよい。「入球容易状態」においては、始動入賞口への入球容易性が通常入球状態より高まるため、始動入賞口への入球による賞球を獲得する頻度も高まる。よって、少なくとも持ち玉の減少を抑えながら遊技を進行させることができる分、獲得できる出玉は通常入球状態より多くなる可能性が高い状態といえる。
【００１１】
この態様において、入球容易状態となって相対的に利益が高まる第３遊技状態へ移行するためには、まずは確率変動状態である第１遊技状態から通常確率状態である第２遊技状態へ移行させることが近道となる。すなわち、本来遊技者に有利となるはずの確率変動状態である第１遊技状態のままでは遊技者に有利とはならず、遊技状態をより有利に展開させるためには一旦通常確率状態である第２遊技状態へ移行させるプロセスを経るという斬新な遊技性が前提とされる。そして、第１遊技状態から第２遊技状態へ移行させるためには、遊技者は確率変動状態への移行を伴わない当りを引き当てるか、確率変動状態の終期（つまり第１の終期）に達するまで当りが発生しないようにする必要がある。なお、以下の説明においては便宜上、確率変動状態への移行を伴う当り（確率変動手段を作動させる当り）を「確変当り」ともいい、確率変動状態への移行を伴わない当り（確率変動手段を非作動とする当り）を「非確変当り」ともいう。
【００１２】
この態様によると、確率変動状態への移行を伴う特別遊技（「確変特別遊技」ともいう）が実行される場合、その確変特別遊技の終了後に移行される確率変動状態の期間（第１の終期）が複数の選択対象の中から決定される。また、決定された第１の終期に対し、その繰り返し回数が決定される。このため、第１の終期が満了するまでに次の確変当りが発生して第１遊技状態に再度移行されることになっても、繰り返し回数が残っている限り、第１の終期として同じ選択対象が決定されることになる。つまり、第１の終期の決定につき、その繰り返し回数分だけ初回の設定が維持されることになる。第１の終期が満了するまでに非確変当りが発生すれば、第２遊技状態へ移行される。この態様によれば、第１の終期に繰り返し回数が設定されることで、その第１の終期による利益状態がその繰り返し回数分だけ維持されるという新たな遊技性が実現される。第１の終期を満了することが第１遊技状態から第２遊技状態へ移行させる条件の一つとなっているため、その長さ如何によって遊技を有利に進められるかどうかが左右されるところ、遊技者はその繰り返し回数を認知することで遊技の進行をある程度予測できるようになる。つまり、遊技を有利に進めようとする遊技者の便宜に供することができる。
【００１３】
特定遊技制御手段は、複数の選択対象のうち少なくともいずれかを特定期間として保持し、特定期間を選択する場合に繰り返し回数を設定してもよい。このように、繰り返し回数の設定対象を制限することで、その特定期間を遊技者に特別な期間として認識させることができるようになる。特定期間を遊技者にとって有利な期間として設定すれば、その繰り返しが保証されることで特典的な位置づけとなり、遊技者の期待感を高められるようになる。
【００１４】
特定遊技制御手段は、複数の選択対象のいずれかを繰り返し回数の設定対象とならない基準期間として保持する一方、特定期間として基準期間よりも短い期間を保持し、第１遊技状態において基準期間を特定期間よりも高い確率で選択してもよい。
【００１５】
すなわち、第１の終期が満了するまでに確変当りが発生してしまうと、基本的には第１の終期の経過がリセットされ、第１遊技状態が再度開始されることになる。したがって、特に第１の終期の満了間際に確変当りが発生すると、第２遊技状態への移行間近であることに期待感を高める遊技者を大きく落胆させる可能性がある。特に第１の終期として比較的短い期間が選択されていた場合、第１の終期に達するまでに当りが発生しない可能性が高く、遊技者にとっては第２遊技状態へ移行するためのチャンスとなる。しかし、そのチャンス期間に確変当りが発生して第１の終期の経過がリセットされ、次に選択された第１の終期が比較的長い期間であった場合、遊技者が受ける損失感が大きくなる。
【００１６】
この点、この態様によれば、高い確率で基準期間が選択される中で特定期間が選択された場合、その基準期間よりも短い期間が第１の終期として設定され、第１遊技状態を抜けて第２遊技状態へ移行される可能性が高くなる。しかも、その特定期間が選択された場合には、その短い第１の終期が複数回繰り返されるようになるため、その可能性がより高められるようになる。このような特典的な遊技性により遊技者の期待感を高めることができ、遊技機の稼働率向上を図ることができる。
【００１７】
特別遊技制御手段は、遊技者が獲得できる利益の大きさが異なる複数種の特別遊技のうち、第１遊技状態における当りの場合は相対的に利益の小さい特別遊技を実行する可能性が高く、第３遊技状態における当りの場合は相対的に利益の大きい特別遊技を実行する可能性が高いものでもよい。この場合、第１遊技状態では何度連続して当りを出現させても利益の小さい特別遊技ばかりが実行されて実質的な利益が得られない可能性が高く、逆に第３遊技状態では利益の大きい特別遊技が繰り返されやすい状態が続くこととなる。
【００１８】
この態様によれば、第１遊技状態と第３遊技状態との利益状態の差が一層大きくなるため、第１遊技状態をいち早く抜け出して第３遊技状態へ移行させたいという遊技者の思いが強められる。つまり、第１遊技状態としての確率変動状態を抜け出すことにより利益状態を高めるという上述した遊技性をより顕著にすることができる。
【００１９】
始動入賞口として、第１の始動入賞口と、第１の始動入賞口と異なる位置であって通常の状態において第１の始動入賞口より入球困難となる位置に設けられた第２の始動入賞口と、を含んでもよい。入球変動手段は、入球容易状態において第２の始動入賞口への入球容易性を第１の始動入賞口への入球容易性より高めた状態とし、特別遊技制御手段は、遊技者が獲得できる利益の大きさが異なる複数種の特別遊技のうち、その当りが第１の始動入賞口への入球を契機とした当りであれば第２の始動入賞口への入球を契機とした当りよりも高い確率で相対的に利益の小さい特別遊技を実行し、その当りが第２の始動入賞口への入球を契機とした当りであれば第１の始動入賞口への入球を契機とした当りよりも高い確率で相対的に利益の大きい特別遊技を実行してもよい。この場合、遊技者が第１の始動入賞口と第２の始動入賞口のいずれに入球させるかを打ち分けることによって結果的に獲得できる利益の大きさが異なるよう構成してもよい。特に、第１遊技状態および第２遊技状態では第１の始動入賞口の方が入球容易となり、第３遊技状態では第２の始動入賞口の方が入球容易となる遊技性を実現してもよい。
【００２０】
この態様によれば、第３遊技状態に移行されて入球容易状態となると、入球容易性が高められた第２の始動入賞口への入球を狙うことで、相対的に大きな利益が得られるようになる。すなわち、利益状態の高い第３遊技状態において、さらに特別遊技の利益状態を高めることで、第１遊技状態と第３遊技状態との利益状態の差が一層大きくなる。このため、第１遊技状態としての確率変動状態を抜け出すことにより利益状態を高めるという上述した遊技性をより顕著にすることができる。
【００２１】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００２２】
本発明によれば、斬新な遊技アルゴリズムを提供しつつ、その稼働率を維持することが可能な遊技機を提供することができる。
【図面の簡単な説明】
【００２３】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】当否判定テーブルを模式的に示す図である。
【図５】通常モード、準備モード、連チャンモードの間でなされる遊技状態の移行態様を示す状態遷移図である。
【図６】通常モードにおいて当否抽選の結果が大当りに該当した場合に参照する第１図柄判定テーブルを模式的に示す図である。
【図７】通常モードにおいて図柄抽選の結果が確変付きの大当りに該当した場合に参照するセット回数設定テーブルを模式的に示す図である。
【図８】連チャンモードにおいて当否抽選の結果が大当りに該当した場合に参照する第２図柄判定テーブルを模式的に示す図である。
【図９】連チャンモードにおいて図柄抽選の結果が確変付きの大当りに該当した場合に参照するセット回数設定テーブルを模式的に示す図である。
【図１０】準備モードにおいて当否抽選の結果が大当りに該当した場合に参照する第３図柄判定テーブルを模式的に示す図である。
【図１１】連続当り回数が確変連続上限回数に達したときに参照する第４図柄判定テーブルを模式的に示す図である。
【図１２】連続当り回数が入球容易連続上限回数に達したときに参照する第５図柄判定テーブルを模式的に示す図である。
【図１３】当否抽選の結果が外れに該当した場合に参照する第６図柄判定テーブルを模式的に示す図である。
【図１４】ぱちんこ遊技機における基本的な動作過程を示すフローチャートである。
【図１５】図１４におけるＳ１４の通常遊技制御処理を詳細に示すフローチャートである。
【図１６】図１５におけるＳ３５およびＳ４３の遊技状態判定処理を詳細に示すフローチャートである。
【図１７】図１５におけるＳ５０の変動終了処理を詳細に示すフローチャートである。
【図１８】図１４におけるＳ１６の特別遊技を詳細に示すフローチャートである。
【図１９】図１８におけるＳ３１７の特定遊技設定処理を詳細に示すフローチャートである。
【図２０】実施例２の通常モードにおいて当否抽選の結果が大当りに該当した場合に参照される第１図柄判定テーブルを模式的に示す図である。
【図２１】実施例２の連チャンモードにおいて当否抽選の結果が大当りに該当した場合に参照される第２図柄判定テーブルを模式的に示す図である。
【図２２】実施例３におけるぱちんこ遊技機の前面側における基本的な構造を示す図である。
【図２３】実施例４におけるぱちんこ遊技機の前面側における基本的な構造を示す図である。
【発明を実施するための形態】
【００２４】
（実施例１）
本実施例のぱちんこ遊技機においては、従来にいう第１種ぱちんこ遊技機に相当する遊技が複数混在する遊技性を有する。その複数の遊技としての第１の遊技と第２の遊技の遊技性を両立させるために、本実施例のぱちんこ遊技機は、複数の始動入賞口、複数の特別図柄表示装置、複数の保留ランプを備える。遊技球が第１始動入賞口または第２始動入賞口に入球すると、第１の抽選、第２の抽選がそれぞれ実行され、その抽選結果が「大当り」であった場合、大入賞口が開閉を繰り返す特別遊技が開始される。大入賞口が開放されて遊技球が入球すると、その都度所定数の賞球が払い出されることで遊技者は大きな利益を獲得できる。
【００２５】
大当りが確変の付与を伴う当りであれば、特別遊技の終了後に確率変動状態（「確変状態」ともいう）となる。また、大当りが入球容易状態の付与を伴う当りであれば、特別遊技の終了後に入球容易状態となる。その結果、確変状態であって入球容易状態でない第１遊技状態と、確変状態でなく入球容易状態でもない第２遊技状態と、入球容易状態である第３遊技状態の３つの遊技状態が形成され、これらの遊技状態の間で遷移していくことで遊技が進行する。第３遊技状態は、確変状態である場合と確変状態でない場合の双方が含まれる。なお、確変状態でない状態を適宜、非確変状態や通常確率状態ともいい、入球容易状態でない状態を非入球容易状態や通常入球状態ともいう。
【００２６】
確変付きの大当りは確変付きでない大当りより高い確率で発生する。大当りが入球容易状態付きとなる可能性は、当りの時点での遊技状態に応じて異なる。特別遊技には、通常どおり多くの出玉が獲得できる特別遊技と、実質的に出玉がほとんど獲得できない特別遊技とが実行される。特別遊技が出玉の多い特別遊技となる可能性は、当りの時点での遊技状態やいずれの始動入賞口へ入球させたかに応じて異なる。具体的には、第１始動入賞口への入球を契機とした大当りの場合には出玉がほとんど獲得できない特別遊技となり、第２始動入賞口への入球を契機とした大当りの場合には多くの出玉がある特別遊技となる。第１遊技状態は、入球容易状態による第２始動入賞口への入球が期待できず、出玉がほとんど獲得できない特別遊技が発生する可能性が高く、最も不利な遊技状態である。一方、第３遊技状態は、入球容易状態により第２始動入賞口への入球が期待でき、多くの出玉が獲得できる特別遊技となってその後もその状態が繰り返される可能性が高い最も有利な遊技状態である。第２遊技状態は、第１遊技状態と同様に入球容易状態による第２始動入賞口への入球が期待できず、出玉がほとんど獲得できない特別遊技が発生する可能性が高いが、第２遊技状態での第１始動入賞口への入球を契機とした大当りには入球容易状態が付与されるため、第３遊技状態へ移行しやすい利点がある。遊技性としては、第１遊技状態を「通常モード」として事実上の初期状態と扱い、第３遊技状態を「連チャンモード」として出玉の多い特別遊技が連続発生する可能性が高い状態とする。第２遊技状態を「連チャンモード」へ移行しやすい状態である「準備モード」と位置づける。
【００２７】
このような遊技性においては、本来有利となるはずの確変状態となっている第１遊技状態のままでは出玉が得られず、遊技者に不利となる。遊技状態をより有利に展開させるためには一旦通常確率状態である第２遊技状態へ移行させるプロセスを経ることになる。第１遊技状態から第２遊技状態へ移行させるためには、遊技者は確変状態への移行を伴わない当りを引き当てるか、確変状態の終期に達するまで当りが発生しないようにする必要がある。本実施例では前者の可能性が低いため、基本的には後者を狙って遊技を進める必要があるところ、その確変状態の終期として短い期間が選択された場合にそのチャンスが複数回保証される機会が付与される。以下、そのような構成を説明する。
【００２８】
図１は、ぱちんこ遊技機の前面側における基本的な構造を示す。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００２９】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、後述する演出を制御する手段によって遊技状態などに応じた効果音が出力される。
【００３０】
遊技盤５０は、外レール５４と内レール５６により区画された遊技領域５２上に、アウト口５８、第１特別図柄表示装置７０、第２特別図柄表示装置７１、演出表示装置６０、第１始動入賞口（以下「第１始動口」という）６２、第２始動入賞口（以下「第２始動口」という）６３、センター飾り６４、大入賞口９１、作動口６８、一般入賞口７２を含む。さらに遊技領域５２には、図示しない複数の遊技釘や風車などの機構が設置される。
【００３１】
第１始動口６２と第２始動口６３とは、遊技領域５２のセンター飾り６４の下方位置に上下に並ぶように配置されている。第１始動口６２は第１の遊技に対応する始動入賞口として設けられ、第２始動口６３は第２の遊技に対応する始動入賞口として設けられる。当否抽選は、通常遊技より遊技者に有利な状態である特別遊技へ移行するか否かを判定する抽選であり、第１始動口６２または第２始動口６３へ入球があるたびに実行される。
【００３２】
第１始動口６２は、始動入賞検出装置７４を備える。始動入賞検出装置７４は、第１始動口６２への遊技球の入球を検出するセンサであり、入球時にその入球を示す第１始動入賞情報を生成する。第２始動口６３は、始動入賞検出装置７５と、拡開機構である普通電動役物６５（いわゆる電動チューリップ）と、普通電動役物６５を開閉させるための普通電動役物ソレノイド７６を備える。始動入賞検出装置７５は、第２始動口６３への遊技球の入球を検出するセンサであり、入球時にその入球を示す第２始動入賞情報を生成する。
【００３３】
普通電動役物ソレノイド７６の駆動力により普通電動役物６５が拡開されると、第２始動口６３への入球容易性が高まる。普通電動役物６５の１回の開放時間は、通常状態においては０．２秒程度の短時間であるが、入球容易状態においては普通電動役物６５の１回の開放時間が６秒程度と通常入球状態よりも長く設定されるので、遊技球は第２始動口６３に入球しやすくなる。
【００３４】
なお、本実施例では、図示のように普通電動役物６５が拡開していない状態においては第２始動口６３がその直上の第１始動口６２によって遮蔽され、その入球が規制される態様となる。また、入球容易状態でない限り普通電動役物６５の拡開頻度は低いため、第２始動口６３への入球はほぼ期待できない。このように、入球容易状態でない第１遊技状態および第２遊技状態において第２始動口６３へ入球させることは、第１始動口６２へ入球させるより困難となる。一方、入球容易状態である第３遊技状態になると、普通電動役物６５が高頻度で、かつ、長く拡開されることにより第２始動口６３への入球容易性が高められ、第１始動口６２へ入球させるよりもむしろ第２始動口６３へ入球させる方が容易となる。このため、第２始動口６３の入球容易性が低い状態においては主に第１始動口６２へ入球させ、第２始動口６３の入球容易性が高められた状態においては主に第２始動口６３へ入球させる遊技性となる。
【００３５】
一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。
【００３６】
大入賞口９１は、第１の遊技および第２の遊技に共通の大入賞口として設けられ、遊技球の入球を検出するための入賞検出装置７７と、大入賞口９１を拡開させるための大入賞口ソレノイド７８を備える。入賞検出装置７７は、大入賞口９１への遊技球の入球を検出するセンサであり、入球時にその入球を示す大入賞口入賞情報を生成する。大入賞口９１は、第１特別図柄１９２または第２特別図柄１９３が所定の態様にて停止したときに開始される特別遊技において「大当り」として開放状態となる横長方形状の入賞口である。大入賞口９１は、例えばアウト口５８の上方等の位置に設けられる。大入賞口９１の設置個数としては、一つだけ設置する構成に限らず、複数個の大入賞口９１を設置してそれぞれを遊技状態等に応じて使い分ける構成としてもよい。大入賞口９１の入賞検出装置７７は、遊技球の通過を検出するセンサを備えて構成される。
【００３７】
遊技領域５２の左下方に第１の遊技に対応する第１特別図柄表示装置７０と第２の遊技に対応する第２特別図柄表示装置７１とが左右に並設され、第１特別図柄１９２および第２特別図柄１９３の変動が表示される。遊技領域５２の略中央には演出表示装置６０が設けられ、第１特別図柄１９２または第２特別図柄１９３に連動する装飾図柄１９０を含む演出画像の変動を表示する。以下、そうした表示を「図柄変動」または「変動表示」等という。
【００３８】
第１特別図柄１９２は、第１始動口６２への遊技球の入球を契機として行われる第１の抽選の結果に対応した図柄であり、その変動表示が所定の当り態様にて停止されたときに特別遊技としての大当りが発生する。第２特別図柄１９３は、第２始動口６３への遊技球の入球を契機として行われる第２の抽選の結果に対応した図柄であり、その変動表示が所定の当り態様にて停止されたときに特別遊技としての大当りが発生する。第１特別図柄表示装置７０および第２特別図柄表示装置７１は、例えば７セグメントＬＥＤで構成される表示装置である。本実施例における第１特別図柄１９２および第２特別図柄１９３は、当りの図柄態様である「０」〜「９」のいずれかの数字や記号、または外れの図柄態様である「−」の記号で表される。これらの数字または記号が高速で次々に入れ替わって第１特別図柄表示装置７０および第２特別図柄表示装置７１へ表示されることにより、第１特別図柄１９２および第２特別図柄１９３の図柄変動表示が実現される。なお、第１特別図柄１９２および第２特別図柄１９３の態様は上記の数字または記号に限られず、英字などの文字であってもよいし、７セグメントＬＥＤを構成する各セグメントの組合せで形成される一般に意味を持たない記号であってもよい。また、７セグメントＬＥＤは、「８の字」を形成する７個のセグメントおよび「ドット」を表す１個のセグメントからなる８個のセグメントで構成されてもよい。この場合、８個のセグメントを組み合わせることにより８ビット分の数値を表現できる。さらに、第１特別図柄表示装置７０および第２特別図柄表示装置７１を７セグメントＬＥＤではないＬＥＤドットアレーを用いて、その点灯パターンや点灯色の組合せで複数種類の第１特別図柄１９２および第２特別図柄１９３を表現してもよい。
【００３９】
演出表示装置６０は、第１特別図柄１９２または第２特別図柄１９３の変動表示と連動する形で装飾図柄１９０を変動表示する液晶ディスプレイで構成される表示装置である。装飾図柄１９０は、第１特別図柄１９２および第２特別図柄１９３で示される抽選の結果表示を視覚的に演出するための図柄である。演出表示装置６０は、装飾図柄１９０として、例えばスロットマシンのゲームを模した複数列の図柄変動の動画像を画面の中央領域に表示する。本実施例においては、「０」〜「９」の数字や記号で構成される図柄を３列に表示して変動させ、最終的に停止表示される３個の図柄組合せによって当りまたは外れを示す。装飾図柄１９０を構成する複数の図柄のそれぞれは、色彩や模様の装飾が施された数字、文字、または記号で構成されるが、これら数字、文字、記号に対して全図柄に共通する絵柄または図柄ごとに異なる絵柄を加えて一体化させる形で構成されてもよい。この絵柄は、ぱちんこ遊技機１０の当該機種に設定された装飾または演出のテーマに関連するモチーフが描かれた絵柄であり、例えば人物や動物のキャラクターが描かれた絵柄であってもよい。装飾図柄１９０は、絵柄が一体的に含まれる図柄が変動表示される場合と、絵柄が分離して数字、文字、記号の部分のみが変動表示される場合とが、演出の展開に沿って切り替えられる構成であってもよい。装飾図柄１９０の変動表示の背景には、ぱちんこ遊技機１０の当該機種に設定された装飾または演出のテーマに関連する演出的効果を有する動画像が図柄変動と連動して表示される。
【００４０】
演出表示装置６０は、本実施例では液晶ディスプレイなどの高精細なドットマトリクス型表示装置で構成されるが、ドラム回転式などの機械的表示手段やＬＥＤマトリクス式などの表示手段で構成されてもよい。なお、第１特別図柄１９２および第２特別図柄１９３は必ずしも演出的な役割をもつことを要しないため、本実施例では演出表示装置６０の左下方の第１特別図柄表示装置７０および第２特別図柄表示装置７１にて目立たない大きさで表示させる。ただし、特別図柄自体に演出的な役割をもたせることで装飾図柄を用いずに表現する手法を採用する場合には、特別図柄を７セグメントＬＥＤではなく液晶ディスプレイに表示させる構成としてもよい。
【００４１】
作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は普通電動役物６５を拡開させるか否かを決定する開放抽選の契機となる。作動口６８を遊技球が通過すると、開放抽選の結果を示す図柄である普通図柄が普通図柄表示装置５９に変動表示される。したがって、開放抽選は「普通図柄抽選」とも呼ぶ。本実施例における普通図柄表示装置５９は、便宜上、二つのランプで構成されるとともに、それらのうちいずれのランプが点灯しているかによって普通図柄の表示状態が表現される。例えば、第１のランプの点灯が外れを示し、第２のランプが当りを示すとき、それらが交互に点灯と消灯を繰り返すことによって普通図柄の変動表示が表現され、最終的にいずれかの点灯状態にて停止されることで普通図柄の停止図柄が表現される。普通図柄表示装置５９は演出表示装置６０の右下方に設けられる。変動開始から所定時間の経過後に、普通図柄の変動表示が停止する。このとき、通常入球状態では例えば１／２５６程度の低確率にて普通図柄が当りの図柄で停止し、入球容易状態では例えば２５０／２５６程度の高確率にて普通図柄が当りの図柄で停止する。普通図柄が当りの図柄で停止すると、普通電動役物６５が所定時間拡開される。普通電動役物６５の開放時間は、例えば通常状態では０．２秒間であり、入球容易状態では６秒間である。普通図柄の変動時間は、例えば通常状態では３０〜６０秒間であり、入球容易状態では２秒間である。なお、上述の通り普通図柄の当り確率の変動、普通電動役物６５の開放時間の延長、普通図柄の変動時間の短縮の３つの機能を用いて第２始動口６３への入球容易性を高める構成を本実施例では採用する。ただし、変形例としては、これら３つの機能のうち、１つまたは２つの機能を用いて第２始動口６３への入球容易性を高める構成としてもよい。このように３つの機能のうち一部だけを用いても第２始動口６３への入球容易性を高めることは可能である。また、後述の通り本実施例ではいわゆる「時短」と呼ばれる特別図柄の変動時間短縮機能を入球容易状態においてさらに実施する仕様とするが、変形例では入球容易状態において特別図柄の時短を実施しない仕様としてもよい。
【００４２】
演出表示装置６０の周囲には、センター飾り６４が設けられる。センター飾り６４は、遊技球の流路、演出表示装置６０の保護、装飾等の機能を有する。遊技領域５２の左下部には、第１特別図柄保留表示装置２０および第２特別図柄保留表示装置２１が設けられ、その対称的な位置である遊技領域５２の右下部には、普通図柄表示装置５９の下に普通図柄保留表示装置２２が設けられている。
【００４３】
遊技効果ランプ９０がセンター飾り６４の上部および下部に設けられ、点滅等することで演出の役割を果たす。第１特別図柄表示装置７０の下方には第１の遊技に対応する第１特別図柄保留表示装置２０が設けられ、第２特別図柄表示装置７１の下方には第２の遊技に対応する第２特別図柄保留表示装置２１が設けられている。第１特別図柄保留表示装置２０は２個のランプからなり、その点灯個数または点滅個数によって第１の遊技における当否抽選値の保留数を表示する。第１特別図柄保留表示装置２０における当否抽選値の保留数は、第１特別図柄１９２の変動中または特別遊技の実行中に第１始動口６２へ入賞した抽選結果の個数であり、図柄変動がまだ実行されていない入賞球の数を示す。第２特別図柄保留表示装置２１も２個のランプからなり、その点灯個数または点滅個数によって第２の遊技における当否抽選値の保留数を表示する。第２特別図柄保留表示装置２１における当否抽選値の保留数は、第２特別図柄１９３の変動中または特別遊技の実行中に第２始動口６３へ入賞した抽選結果の個数であり、図柄変動がまだ実行されていない入賞球の数を示す。
【００４４】
当否抽選の保留数が３個になると、遊技効率を高めるために外れの場合の図柄変動時間が通常より短縮される（以下、「短縮変動」ともいう）。同様に、当否抽選の保留数が４個になると、さらに遊技効率を高めるために外れの場合の図柄変動時間が上記３個の場合よりもさらに短縮される（以下、「超短縮変動」ともいう）。
【００４５】
普通図柄保留表示装置２２もまた２個のランプからなり、その点灯個数または点滅個数によって普通図柄変動の保留数を表示する。普通図柄変動の保留数は、普通図柄１９５の変動中に作動口６８を通過した遊技球の個数であり、普通図柄１９５の変動がまだ実行されていない普通図柄抽選の数を示す。
【００４６】
演出表示装置６０の上方および下方には、それぞれ遊技効果ランプ９０が設けられている。操作ボタン８２は、遊技者が遊技機へ所定の指示を入力するために操作する操作入力手段であり、その操作入力の内容に応じて演出内容等に変化が加えられる。操作ボタン８２は、上球皿１５近傍の外壁面に設けられる。本実施例における操作ボタン８２は一つのボタンで構成されるが、複数のボタンや十字キーなどの方向指示ボタンで構成されてもよい。可動役物１４０は、演出に連動して動作が制御される可動物であり、その動作によって演出的役割を果たす。例えば可動役物１４０は、遊技者による操作ボタン８２を介した操作入力に応じて動作する。
【００４７】
以上のような構成においてなされる遊技の方法および制御の流れを概説する。遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当りながらその当り方に応じた方向へ落下する。遊技球が一般入賞口７２や第１始動口６２、第２始動口６３、大入賞口９１の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００４８】
第１始動口６２または第２始動口６３に入球すると、第１特別図柄表示装置７０、第２特別図柄表示装置７１および演出表示装置６０において第１特別図柄１９２、第２特別図柄１９３、および装飾図柄１９０が変動表示される。第１特別図柄１９２、第２特別図柄１９３、および装飾図柄１９０の変動表示は、表示に先だって決定された変動表示時間の経過後に停止される。第１特別図柄１９２および第２特別図柄１９３は、その変動開始から停止までの変動態様が定められた変動パターンにしたがって変動表示される。装飾図柄１９０は、その変動開始から停止までの変動態様が定められた変動演出パターンにしたがって変動表示される。変動パターンおよび変動演出パターンはそれぞれ複数種ずつ用意され、それぞれが長短様々な変動時間をもつ。変動パターンにしたがって第１特別図柄１９２および第２特別図柄１９３が変動表示される間、同じ変動時間をもつ変動演出パターンにしたがって装飾図柄１９０が変動表示される。変動パターンには、その図柄変動の終了条件としてパターンごとに変動表示時間が定められており、その変動表示時間の経過時に第１特別図柄１９２、第２特別図柄１９３、および装飾図柄１９０の変動が停止される。
【００４９】
装飾図柄１９０の変動表示としては、まず変動開始とともにスロットマシンのリール回転のように３列とも図柄を変動させ、変動終了タイミングへ近づいたときに一列ずつ停止させることで最終的な停止態様としての図柄組合せを表示する。停止時の第１特別図柄１９２、第２特別図柄１９３、および装飾図柄１９０が大当りを示す停止態様となった場合、通常遊技よりも遊技者に有利な遊技状態である特別遊技に移行し、大入賞口９１の開閉動作が開始される。大当りを示す装飾図柄１９０の停止態様は、例えば３つの図柄の種類が一致する組合せの態様である。
【００５０】
変動演出パターンには、通常の外れの図柄組合せを表示するときの通常外れ演出パターンと、あと一つ図柄が揃えば大当りとなる状態であるリーチ状態を経て外れの図柄組合せを表示するときのリーチ外れ演出パターンと、リーチ状態を経て大当りの図柄組合せを表示するときのリーチ大当り演出パターンが含まれる。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。
【００５１】
特別遊技には通常特別遊技と短縮特別遊技の２種類があり、それぞれ獲得賞球による利益に大きな差が生じる。通常特別遊技は、開始デモ時間と呼ばれる演出画面の表示によって開始される。開始デモ時間の画面表示後に大入賞口９１が開放され、その開放が約３０秒間続いた後、または９球以上の遊技球が落入した後で一旦閉鎖される。このような大入賞口９１の開放から閉鎖までが、基本的には単位遊技と呼ばれるが、１回の単位遊技の間に複数回の短時間の開放を繰り返す場合があってもよい。大入賞口９１の開閉ないし単位遊技が所定回数、例えば８回繰り返された後、終了デモ時間と呼ばれる演出画面の表示によって通常特別遊技が終了される。通常特別遊技においては、１回の単位遊技あたり９球以上の入球が十分に期待でき、８回分の単位遊技によって十分な賞球（これを「出玉」ともいう）を獲得でき、大きな利益が得られる。
【００５２】
一方、短縮特別遊技は、開始デモ時間および終了デモ時間もなく、１回の単位遊技で大入賞口９１を０．２秒間だけ開放させる。この単位遊技を２回繰り返して短縮特別遊技が終了される。短縮特別遊技では、ごく短時間の大入賞口９１の開放を２回繰り返すだけであるため、大入賞口９１にはほとんど入球し得ず、実質的に出玉がほぼゼロに等しい特別遊技である。
【００５３】
特別遊技が終了した後の通常遊技において特定遊技の一つである入球容易状態が開始される。入球容易状態においては、開放抽選が当りになる確率を通常より高め、普通図柄の変動時間を通常状態より短縮するとともに、普通電動役物６５の拡開時間を通常状態よりも長くする、いわゆる開放延長を実行する。このように、入球容易状態では一定時間あたりの普通図柄の変動回数が通常状態よりも増加する可能性が高まる上、第２始動口６３への入球容易性も増すため、第２始動口６３への入球数が増加する可能性も高い。したがって、入球容易状態では第２始動口６３への入球による賞球を得られる機会が増加する結果、持ち玉をほとんど減らさないか、あるいは少しずつ持ち玉を増やしながら遊技し続けることが可能となる。入球容易状態においては、さらに第１特別図柄１９２、第２特別図柄１９３、装飾図柄１９０の変動時間が通常状態よりも短縮される。第１特別図柄１９２、第２特別図柄１９３、装飾図柄１９０の変動時間は、所定の変動回数、例えば３０回の変動表示がなされた後で元の変動時間に戻されるが、その変動回数に達する前に大当りが発生すれば入球容易状態もいったん終了する。入球容易状態において第１特別図柄１９２、第２特別図柄１９３、装飾図柄１９０の変動時間が短縮されるため、通常の変動時間のまま図柄変動がなされる通常状態の場合と比べて、大当りが発生するまでの時間を短縮することができ、大当りの獲得容易性を相対的に高めることができる。
【００５４】
特別遊技が発生した場合であってそのときの当り停止図柄が特定の態様であった場合、特別遊技の終了後に特定遊技の一つである確変がさらに開始される。確変中は、通常の確率状態より当りの確率が高い当否抽選が行われ、比較的早期に新たな特別遊技が発生し得る。
【００５５】
本実施例においては、第１始動口６２への入球を契機として発生した大当りに対しては短縮特別遊技を実行し、第２始動口６３への入球を契機として発生した大当りに対しては通常特別遊技を実行する。通常モードおよび準備モードにおいては、入球容易状態でないため第２始動口６３への入球はほとんど期待できず、結果として出玉のない短縮特別遊技が実行される可能性が高い。連チャンモードにおいては、入球容易状態であるため第２始動口６３への入球が期待でき、結果として多くの出玉が得られる通常特別遊技が実行される可能性が高い。通常モードおよび準備モードにおいては、普通電動役物６５が拡開しない限り第２始動口６３には実質的に入球しない。
【００５６】
図２は、ぱちんこ遊技機の背面側における基本的な構造を示す。電源スイッチ４０は、ぱちんこ遊技機１０の電源をオンオフするスイッチである。メイン基板１０２は、ぱちんこ遊技機１０の全体動作を制御し、とくに第１始動口６２、第２始動口６３へ入賞したときの抽選等、遊技動作全般を処理する。サブ基板１０４は、液晶ユニット４２を備え、演出表示装置６０における表示内容を制御し、特にメイン基板１０２による抽選結果に応じて表示内容を変動させる。メイン基板１０２およびサブ基板１０４は、遊技制御装置１００を構成する。裏セット機構３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００５７】
図３は、本実施例におけるぱちんこ遊技機１０の機能ブロックを示す。ぱちんこ遊技機１０において、遊技制御装置１００は、第１始動口６２、第２始動口６３、大入賞口９１、一般入賞口７２、作動口６８、第１特別図柄表示装置７０、第２特別図柄表示装置７１、演出表示装置６０、普通図柄表示装置５９、操作ボタン８２、スピーカ１８、遊技効果ランプ９０、電源ユニット４８のそれぞれと電気的に接続されており、各種制御信号の送受信を可能とする。遊技制御装置１００は、電源スイッチ４０がオンされることにより電源ユニット４８から電力が供給され、オフされることにより電源ユニット４８からの電力供給が遮断される。遊技制御装置１００は、電源スイッチ４０がオンまたはオフされたときにその旨を示す信号を電源ユニット４８から受け取る。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００５８】
本実施例におけるメイン基板１０２は、入球判定手段１１０、第１抽選手段１２６、第２抽選手段１２８、普図抽選手段１２９、保留制御手段１１６、メイン表示制御手段１１８、特別遊技制御手段１２０、特定判定手段１２１、特定遊技制御手段１２２、開閉制御手段１２４、特図調整手段１５２を備える。本実施例におけるサブ基板１０４は、パターン記憶手段１３０、図柄態様決定手段１３１、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００５９】
ただし、メイン基板１０２とサブ基板１０４の間におけるデータの送受信はメイン基板１０２からサブ基板１０４への一方向であるため、そのような一方向でのデータ送受信にて全体動作が実現されるよう各構成がメイン基板１０２とサブ基板１０４に配置される。このようにメイン基板１０２からサブ基板１０４へのデータ送信の一方向性が保たれるため、サブ基板１０４に含まれる構成からメイン基板１０２に含まれる構成へはデータを送信することができず、データ送信の要求もできない。したがって、メイン基板１０２で生成された情報は、メイン基板１０２がサブ基板１０４へ一方的に送信しない限りサブ基板１０４から参照することはできない。
【００６０】
入球判定手段１１０は、各入賞口への遊技球の入球を判定する。入球判定手段１１０は、第１始動入賞情報を受け取ると遊技球が第１始動口６２に入賞したと判断し、第２始動入賞情報を受け取ると遊技球が第２始動口６３に入賞したと判断する。入球判定手段１１０は、大入賞口入賞情報を受け取ると遊技球が大入賞口９１に入賞したと判断し、一般入賞情報を受け取ると遊技球が一般入賞口７２に入賞したと判断する。入球判定手段１１０は、通過情報を受け取ると遊技球が作動口６８を通過したと判断する。
【００６１】
第１抽選手段１２６および第２抽選手段１２８は、当否抽選手段として機能する。第１抽選手段１２６は、第１抽選値取得手段１１２、第１当否判定手段１１３、第１パターン決定手段１１４を含み、第１始動口６２への入球に対応する当否抽選として第１の抽選を実行する。第１の抽選の結果は、第１特別図柄表示装置７０において第１特別図柄１９２の変動表示の形で示され、演出表示装置６０の表示領域１９４において装飾図柄１９０の変動表示の形で示される。第２抽選手段１２８は、第２抽選値取得手段１１５、第２当否判定手段１１７、第２パターン決定手段１１９を含み、第２始動口６３への入球に対応する当否抽選として第２の抽選を実行する。第２の抽選の結果は、第２特別図柄表示装置７１において第２特別図柄１９３の変動表示の形で示され、演出表示装置６０の表示領域１９４において装飾図柄１９０の変動表示の形で示される。第１抽選手段１２６および第２抽選手段１２８は、図柄変動を開始するにあたり、その図柄変動に対応する抽選の結果を演出決定手段１３２へ送信する。
【００６２】
第１抽選値取得手段１１２は、第１始動口６２への入球を契機に、第１の抽選のために乱数の値を第１当否抽選値として取得する。第２抽選値取得手段１１５は、第２始動口６３への入球を契機に、第２の抽選のために乱数の値を第２当否抽選値として取得する。例えば、当否抽選のために第１当否抽選値および第２当否抽選値として取得する値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。第１当否抽選値、第２当否抽選値として取得する値は、保留制御手段１１６により一時的に保留される。ただし、所定の保留上限数を超えない範囲で当否抽選値が保留される。
【００６３】
第１当否判定手段１１３は、第１当否抽選値に基づき、通常遊技より遊技者に有利な状態である特別遊技へ移行するか否かを判定する当否判定を実行する。第２当否判定手段１１７は、第２当否抽選値に基づき、特別遊技へ移行するか否かを判定する当否判定を実行する。
【００６４】
第１当否判定手段１１３および第２当否判定手段１１７は、当否判定で参照する当否テーブルを複数保持する。複数の当否テーブルには、当りまたは外れの判定結果と当否抽選値とが対応付けられており、対応付けられた当りの範囲設定に応じて当否確率が定まる。第１当否判定手段１１３および第２当否判定手段１１７は、通常確率状態においては通常の当り確率による当否判定のための当否テーブルを参照し、確変状態においては通常確率より当り確率が高くなる当否テーブルを参照する。第１当否判定手段１１３および第２当否判定手段１１７は、複数の当否テーブルのうちいずれかを参照し、当否抽選値が当りであるか否かを判定する。
【００６５】
図４は、当否判定テーブルを模式的に示す図である。本図の当否判定テーブルには、大当りおよび外れの判定結果と当否抽選値とが対応付けられており、当りとなったときの遊技状態が確変状態であるか否かに応じて異なる対応関係が参照される。対応付けられたそれぞれの範囲設定に応じて当り確率が定まる。第１当否判定手段１１３および第２当否判定手段１１７は、当否判定において本図の当否判定テーブルを参照する。通常確率状態、すなわち非確変状態では当否抽選値が０〜４０９９の範囲に該当したときに大当りとなり、当り確率は約１／１６となる。確変状態では大当りの範囲が拡大され、当否抽選値が０〜４０９９の範囲に該当する場合だけでなく、４１００〜４３６９の範囲に該当する場合にも大当りとなり、当り確率は約１／１５となる。このように、大当りに該当する範囲は遊技状態に応じて変化し、確変状態と通常確率状態とで当り確率に関して高低の違いはあるものの、その差は僅かである。したがって、通常確率状態といっても確変状態と比べて当り確率が著しく低いということもなく、比較的当りは発生しやすい状況にあるといえる。逆に確変状態とはいっても通常確率状態と比べて当り確率が格段に高いということもなく、通常確率状態と比べてもさほど有利な状態にあるとはいえない。なお、本図では単一の当否判定テーブルによって通常時と確変時の双方の大当り範囲を示したが、当否判定テーブルは通常時用と確変時用とで別個に用意してもよい。
【００６６】
図３に戻り、第１当否判定手段１１３および第２当否判定手段１１７による判定結果は、第１特別図柄表示装置７０および第２特別図柄表示装置７１において第１特別図柄１９２および第２特別図柄１９３の形で変動表示される。また、第１当否判定手段１１３および第２当否判定手段１１７による判定結果を演出的に示す装飾図柄が演出表示装置６０において変動表示される。第１抽選手段１２６および第２抽選手段１２８は、図柄変動を開始するタイミングにおいて、その図柄変動に対応する抽選の結果を図柄変動の制御コマンドとともに図柄態様決定手段１３１および演出決定手段１３２へ送信する。
【００６７】
第１当否判定手段１１３および第２当否判定手段１１７は、当否判定の結果と、別途取得する図柄抽選値と、特定判定手段１２１による判定結果とに基づいて、図柄の変動開始にあたってその停止図柄を決定する。特別図柄の停止図柄を決定する方法を説明する前に、停止図柄を決定するための前提となる遊技状態の移行態様について説明する。
【００６８】
特定判定手段１２１は、第１遊技状態である通常モードと、第２遊技状態である準備モード、第３遊技状態である連チャンモードの間で遊技状態を遷移させる。通常モードでは、特定判定手段１２１は後述の確率変動手段１５４を作動させるとともに、後述の入球変動手段１５６を非作動とさせる。すなわち、確変状態かつ通常入球状態とさせる。準備モードでは、特定判定手段１２１は確率変動手段１５４を非作動にさせるとともに入球変動手段１５６も非作動とさせる。すなわち、通常確率状態かつ通常入球状態とさせる。連チャンモードでは、特定判定手段１２１は確率変動手段１５４を作動させるとともに入球変動手段１５６も作動させる。すなわち、確変状態かつ入球容易状態とさせる。ただし、入球容易状態である限りは通常確率状態となった場合でも連チャンモードは維持される。特定判定手段１２１は、当否抽選が当りとなった場合に、その特別遊技後に通常モード、準備モード、連チャンモードのいずれの遊技状態へ移行させるかを決定する。
【００６９】
特定判定手段１２１は、当否抽選が当りである場合、確率変動手段１５４を非作動とする確率より高い確率で確率変動手段１５４を作動させる。すなわち、当否抽選が当りの場合は、通常確率状態へ移行させる確率よりも高い確率で確変状態へ移行させる決定をする。確変状態が維持される期間は、次の当りが発生するか、または当りが発生しない限りは長くとも外れの図柄変動回数が所定の確変終期回数に到達するまでと定められる。通常モードにおいて確変状態のまま外れの図柄変動回数が確変終期回数に達した場合、特定判定手段１２１は遊技状態を通常確率状態である準備モードへ移行させる。本実施例では、この確変終期回数として、「１０回」，「３０回」，「５０回」，「７０回」および「１００回」の５種類の選択対象が設定されており、当否抽選が確変当りである場合には、そのいずれかの確変終期回数が設定される。一方、入球容易状態が維持される期間は、次の当りが発生するか、または、当りが発生しない限りは長くとも外れの図柄変動が所定の入球容易終期回数に到達するまでと定められる。入球容易状態のまま外れの図柄変動が入球容易終期回数に達した場合、特定判定手段１２１は遊技状態を通常入球状態である通常モードまたは準備モードへ移行させる。本実施例では、入球容易終期回数として「３０回」が設定される。
【００７０】
確変状態が連続したまま発生し得る当りの連続回数に関しては、その上限回数（「確変連続上限回数」ともいう）として「３０回」が予め定められている。特定判定手段１２１は、確変連続上限回数に達するまでは当りの種類に応じて確変状態および通常確率状態のいずれにも移行し得るよう決定するのに対し、確変連続上限回数に達する当りの場合は通常確率状態である準備モードへ移行する旨の決定をする。入球容易状態が連続したまま発生し得る当りの回数に関しては、その上限回数（「入球容易連続上限回数」ともいう）として「２０回」が予め定められている。特定判定手段１２１は、入球容易連続上限回数に達するまでは当りに必ず入球容易状態を付与する連チャンモードへの移行を決定するのに対し、入球容易連続上限回数に達する当りの場合は通常入球状態である通常モードまたは準備モードへ移行する旨の決定をする。
【００７１】
図５は、通常モード、準備モード、連チャンモードの間でなされる遊技状態の移行態様を示す状態遷移図である。本図では、相対的に高い確率で発生する当りによる移行が実線で描かれ、相対的に低い確率で発生する当りによる移行が一点鎖線で描かれる。外れの連続によってなされる移行が破線で描かれる。まず、初期状態として第１遊技状態である通常モード３００で遊技が開始される場合、当りには高い確率で確変が付与されるため通常モード３００が維持されやすく（Ｓ５００）、低い確率ではあるが確変が付与されない当りとなったときに準備モード３０２へ移行する（Ｓ５０２）。確変が付与されるか否かは、第１抽選手段１２６および第２抽選手段１２８による後述の図柄決定結果により判定される。通常モード３００において外れの連続回数が確変終期回数に達した場合は（Ｓ５０４）、準備モード３０２へ移行する（Ｓ５０６）。確変付き大当りの連続を経て通常モード３００が維持されたまま当りの連続回数が確変上限回数に達した場合は（Ｓ５０８）、準備モード３０２へ移行する（Ｓ５１０）。本図に示される通り、通常モード３００における当りには入球容易状態への移行が付与されないため、当りが発生しても高い確率で通常モード３００へ戻るか、低い確率で準備モード３０２へ移行するだけであり、連チャンモード３０４へは移行しない。ただし、変形例としては、低い確率で当りに入球容易状態への移行を付与することで、通常モード３００から連チャンモード３０４へ移行する可能性のある遊技性を採用してもよい。
【００７２】
準備モード３０２において確変を伴う大当りが発生したとき、その当りが第１始動口６２への入球を契機とする当りの場合は（Ｓ５１２）、連チャンモード３０４へ移行する（Ｓ５１３）。その当りが第２始動口６３への入球を契機とする当りの場合は（Ｓ５１６）、後述の図柄決定結果としての停止図柄態様に基づき、相対的に高い確率にて連チャンモード３０４へ移行し（Ｓ５１７−Ａ）、相対的に低い確率にて通常モード３００へ戻される（Ｓ５１７−Ｂ）。準備モード３０２において確変を伴わない大当りが発生したとき、その当りが第１始動口６２への入球を契機とする当りの場合は（Ｓ５１４）、確変を伴う大当りと同様に連チャンモード３０４へ移行するが（Ｓ５１５）、その当りが第２始動口６３への入球を契機とする当りの場合は（Ｓ５１８）、準備モード３０２へ戻される（Ｓ５１９）。
【００７３】
連チャンモード３０４において確変を伴う大当りが発生するとき、その当りには入球容易状態が付与されるため連チャンモード３０４が維持される（Ｓ５２０）。連チャンモード３０４において確変を伴わない大当りが発生するときもまた、その当りには入球容易状態が付与されるため連チャンモード３０４が維持される（Ｓ５２１）。外れの連続回数が入球容易終期回数に達した場合は（Ｓ５２２）、その時点で確変状態であれば通常モード３００へ移行し（Ｓ５２４）、通常確率状態であれば準備モード３０２へ移行する（Ｓ５２６）。連チャンモード３０４が維持されたまま確変を伴う大当りが発生して当りの連続回数が入球容易上限回数に達した場合は（Ｓ５２８）、通常モード３００へ移行する（Ｓ５３０）。連チャンモード３０４が維持されたまま確変を伴わない大当りが発生して当りの連続回数が入球容易上限回数に達した場合は（Ｓ５３２）、準備モード３０２へ移行する（Ｓ５３４）。
【００７４】
なお、連チャンモード３０４においても通常モード３００と同様に確変終期回数が設定されるが、後述のように、基準期間と位置づけられる「５０回」が選択される確率が相当高い。その場合、外れの連続回数が確変終期回数（５０回）に達するときはすでに入球容易終期回数（３０回）に達しているため（Ｓ５２２）、通常モード３００へ移行していることになり、その状態から準備モード３０２へ移行する。確変終期回数として入球容易終期回数よりも大きい「７０回」または「１００回」の期間が選択された場合も同様である。また、確率が相当低いとはいえ、確変終期回数が入球容易終期回数と同じ「３０回」となることがある。その場合、外れの連続回数が確変終期回数に達すると同時に入球容易終期回数に達して準備モード３０２へ移行することになる。さらに、確変終期回数が入球容易終期回数よりも小さい「１０回」となった場合には、外れの連続回数が確変終期回数に達しても入球容易終期回数には達しないため、そのまま連チャンモード３０４が継続される。そして、そのまま当りとなることなく入球容易終期回数に達すると、準備モード３０２へ移行することになる。
【００７５】
図３に戻り、第１当否判定手段１１３および第２当否判定手段１１７は、特定判定手段１２１による判定結果にしたがい、当否判定の結果と図柄抽選値に基づいて特別図柄の停止図柄を決定する。第１当否判定手段１１３および第２当否判定手段１１７は、特別図柄の停止図柄を決定するために参照する図柄範囲テーブルを保持する。第１特別図柄１９２または第２特別図柄１９３を決定するための図柄範囲テーブルには、「０」〜「９」の数字や記号および「−」の記号で表される特別図柄と第１図柄抽選値または第２図柄抽選値との対応関係が定められている。
【００７６】
図６は、通常モードにおいて当否抽選の結果が大当りに該当した場合に参照する第１図柄判定テーブルを模式的に示す図である。第１当否判定手段１１３および第２当否判定手段１１７は、図柄判定において本図の図柄判定テーブルを参照する。第１図柄判定テーブル４０１には、特別図柄番号「１」〜「１０」の特別図柄と図柄抽選値との対応関係が定められている。
【００７７】
本図に示す通り、特別図柄番号「１」〜「１０」のうち「２」「４」「６」「８」「１０」が確変付き大当りに対応付けられ、残りの特別図柄番号「１」「３」「５」「７」「９」が確変付きでない通常大当りに対応づけられている。図示のように、通常大当りに対しては「０、１」「１２、１３」「２２、２３」「２４７」「２５３」の計８個の抽選値が対応づけられているにすぎないのに対し、確変付き大当りに対しては残りの抽選値、すなわち２４８個の抽選値が対応づけられている。これにより、第１図柄判定テーブル４０１を参照するモードにおいて当りのうち約９７％が確変付きの大当りとなり、約３％が通常大当りとなる。
【００７８】
また、特定遊技制御手段１２２は、図柄抽選の結果が確変付きの大当りに該当した場合に本図の図柄判定テーブルを参照し、その特別遊技後の確変状態の継続期間を規定する確変終期回数を決定する。すなわち、特別遊技後に確変状態へ移行されてから外れの図柄変動回数が確変終期回数に達すると、その確変状態は終了されて通常確率状態に戻される。図示のように、特別図柄番号のうち「２」が「１０回」、「４」が「３０回」、「６」が「５０回」、「８」が「７０回」、「１０」が「１００回」にそれぞれ対応付けられている。本実施例では、「５０回」を確変終期回数の基準期間としており、図柄抽選値の割合から分かるように、確変付き大当りとなる場合に約９０％の確率で「５０回」が選択されるように設定されている。また、通常モード３００においては、確変状態を速やかに抜けて通常状態となるほうが遊技者に有利となるため、基準期間よりも図柄変動回数の少ない「１０回」および「３０回」の選択確率が、基準期間よりも図柄変動回数の多い「７０回」および「１００回」の選択確率よりも高くなっている。
【００７９】
図７は、通常モードにおいて図柄抽選の結果が確変付きの大当りに該当した場合に参照するセット回数設定テーブルを模式的に示す図である。特定遊技制御手段１２２は、図柄抽選の結果が確変付きの大当りに該当した場合、上述のように確変終期回数を決定すると、続いて本図のセット回数設定テーブルを参照し、その確変終期回数の繰り返し回数（「セット回数」という）を決定する。セット回数設定テーブルは、確変終期回数ごとに設けられている。（ａ）は確変終期回数が「１０回」のときに参照される第１テーブル４１１、（ｂ）は「３０回」のときに参照される第２テーブル４１２、（ｃ）は「５０回」のときに参照される第３テーブル４１３、（ｄ）は「７０回」のときに参照される第４テーブル４１４、（ｅ）は「１００回」のときに参照される第５テーブル４１５をそれぞれ示している。各テーブルには、抽選値「０〜２５５」とセット回数とが対応付けられている。なお、同図においては、そのセット回数の図柄変動が終了するまでに確変状態を抜けられる確率、つまり確変状態のまま外れの図柄変動回数が確変終期回数に達する確率が５０％以上となるものを太線にて示している。
【００８０】
図７（ａ）に示すように、第１テーブル４１１（確変終期回数：１０回）においては、セット回数として「１回」（繰り返しなし）および「２回」（繰り返し１回）の選択確率が相対的に高くなるよう抽選値が割り当てられている。この場合には１セット目で確変状態を抜ける確率が５０％を超え、その確率はセット回数が増加するにつれて高くなるため、セット回数を不要に多く設定しないようにしたものである。
【００８１】
図７（ｂ）に示すように、第２テーブル４１２（確変終期回数：３０回）においては、セット回数として「２回」および「３回」の選択確率が相対的に高くなるよう抽選値が割り当てられている。この場合には２セット目以降で確変状態を抜ける確率が５０％を超えるため、遊技者に不利とならないよう「１回」の選択確率を低くしている。
【００８２】
図７（ｃ）に示すように、第３テーブル４１３（確変終期回数：５０回）においては、約９７％の確率で「１回」が選択されるよう抽選値が割り当てられている。この場合、３セット目以降で確変状態を抜ける確率が５０％を超えるものの、その３セット目以降の選択確率も低くしている。本実施例では、「セット回数の付与」を確変終期回数として基準期間以外に当選した場合の特典と位置づけているため、その基準期間に対応する「５０回」については、相対的に利益状態を小さくしたものである。
【００８３】
図７（ｄ）に示すように、第４テーブル４１４（確変終期回数：７０回）においても、高い確率で「１回」が選択されるよう抽選値が割り当てられている。この場合、４セット目で確変状態を抜ける確率が５０％を超えるものの、２セット目以降の選択確率を低くしている。本実施例では、「通常モード３００において少ない回数で確変状態を抜けやすくする」点についても、確変終期回数として基準期間以外に当選した場合の特典と位置づけており、また、図６に示すように「７０回」の選択確率そのものが低いため、速やかに終了させようとするものである。
【００８４】
図７（ｅ）に示すように、第５テーブル４１５（確変終期回数：１００回）においても、相当高い確率で「１回」が選択されるよう抽選値が割り当てられている。この場合、４セット目を終了しても確変状態を抜ける確率が５０％を下回る一方、図６に示すように「１００回」の選択確率そのものが低いため、速やかに終了させようとするものである。
【００８５】
図８は、連チャンモードにおいて当否抽選の結果が大当りに該当した場合に参照する第２図柄判定テーブルを模式的に示す図である。第１当否判定手段１１３および第２当否判定手段１１７は、図柄判定において本図の図柄判定テーブルを参照する。第２図柄判定テーブル４０２には、特別図柄番号「１」〜「１０」の特別図柄と図柄抽選値との対応関係が定められている。
【００８６】
本図に示す通り、特別図柄番号「１」〜「１０」のうち「２」「４」「６」「８」「１０」が確変付き大当りに対応付けられ、残りの特別図柄番号「１」「３」「５」「７」「９」が通常大当りに対応づけられている。図示のように、通常大当りに対しては「０、１」「４、５」「１１、１２」「２３６」「２４５」の計８個の抽選値が対応づけられているにすぎないのに対し、確変付き大当りに対しては残りの抽選値、すなわち２４８個の抽選値が対応づけられている。これにより、第２図柄判定テーブル４０２を参照するモードにおいて当りのうち約９７％が確変付きの大当りとなり、約３％が通常大当りとなる。
【００８７】
また、特定遊技制御手段１２２は、連チャンモード３０４において図柄抽選の結果が確変付きの大当りに該当した場合に本図の図柄判定テーブルを参照し、確変終期回数を決定する。特別図柄番号と確変終期回数との対応関係は、図６に示した通常モード３００の場合と同様である。また、確変付き大当りとなる場合に約９０％の確率で基準期間である「５０回」が選択されるように設定されている。ただし、連チャンモード３０４においては、確変状態が継続するほうが遊技者に有利となるため、基準期間よりも図柄変動回数の多い「７０回」および「１００回」の選択確率が、基準期間よりも図柄変動回数の少ない「１０回」および「３０回」の選択確率よりも高くなっている。
【００８８】
図９は、連チャンモードにおいて図柄抽選の結果が確変付きの大当りに該当した場合に参照するセット回数設定テーブルを模式的に示す図である。特定遊技制御手段１２２は、図柄抽選の結果が確変付きの大当りに該当した場合、確変終期回数の決定に続いて本図のセット回数設定テーブルを参照し、その確変終期回数のセット回数を決定する。（ａ）は確変終期回数が「１０回」のときに参照される第１テーブル４２１、（ｂ）は「３０回」のときに参照される第２テーブル４２２、（ｃ）は「５０回」のときに参照される第３テーブル４２３、（ｄ）は「７０回」のときに参照される第４テーブル４２４、（ｅ）は「１００回」のときに参照される第５テーブル４２５をそれぞれ示している。各テーブルには、抽選値「０〜２５５」とセット回数とが対応付けられている。なお、同図においても、そのセット回数の図柄変動が終了するまでに確変状態を抜ける確率が５０％以上となるものを太線にて示している。
【００８９】
図９（ａ）に示すように、第１テーブル４２１（確変終期回数：１０回）においては、セット回数として「１回」の選択確率が高くなるよう抽選値が割り当てられている。確変状態が早期に終了する状態が繰り返されることにより、遊技者に不利益を与えることを抑制するものである。
【００９０】
図９（ｂ）に示すように、第２テーブル４２２（確変終期回数：３０回）においても、セット回数として「１回」の選択確率が高くなるよう抽選値が割り当てられている。この場合には１セット目で確変状態を抜ける確率が５０％を下回るため、セット回数をその「１回」とすることにより、相対的に遊技者に利得感を与えるものである。
【００９１】
図９（ｃ）に示すように、第３テーブル４２３（確変終期回数：５０回）においては、通常モード３００の場合と同様に、約９７％の確率で「１回」が選択されるよう抽選値が割り当てられている。「セット回数の付与」を確変終期回数として基準期間以外に当選した場合の特典と位置づけているため、その基準期間に対応する「５０回」については、利益状態が高い印象を与えにくくしたものである。
【００９２】
図９（ｄ）に示すように、第４テーブル４２４（確変終期回数：７０回）においては、「２回」および「３回」が比較的高い確率で選択されるよう抽選値が割り当てられている。この場合、３セット目までは確変状態を抜ける確率が５０％を下回るため、同範囲のセット回数が選択され易くしたものである。言い換えれば、４セット目で確変状態を抜ける確率が５０％を超えるため、その選択確率を相対的に低くしている。本実施例では、「連チャンモード３０４において確変状態が繰り返されやすくする」についても、確変終期回数として基準期間以外に当選した場合の特典と位置づけており、遊技者に有利な期間を長く維持できるようにするものである。
【００９３】
図９（ｅ）に示すように、第５テーブル４２５（確変終期回数：１００回）においても、相当高い確率で「１回」が選択されるよう抽選値が割り当てられている。この場合、４セット目を終了しても確変状態を抜ける確率が５０％を下回るが、確変終期回数そのものが大きいため、確変状態が間延びすることを抑制するものである。
【００９４】
図１０は、準備モードにおいて当否抽選の結果が大当りに該当した場合に参照する第３図柄判定テーブルを模式的に示す図である。第１当否判定手段１１３および第２当否判定手段１１７は、図柄判定において本図の図柄判定テーブルを参照する。第３図柄判定テーブル４０３には、特別図柄番号「１２」〜「２１」の特別図柄と図柄抽選値との対応関係が定められている。
【００９５】
本図に示す通り、特別図柄番号「１２」〜「２１」のうち「１３」「１５」「１７」「１９」「２１」が確変付き大当りに対応付けられ、残りの特別図柄番号「１２」「１４」「１６」「１８」「２０」が確変付きでない通常大当りに対応づけられている。図示するとおり、通常大当りに対しては「０、１」「５２、５３」「１０４、１０５」「１５６」「２０７」の計８個の抽選値が対応づけられているにすぎないのに対し、確変付き大当りに対しては残りの抽選値、すなわち２４８個の抽選値が対応づけられている。これにより、第３図柄判定テーブル４０３を参照するモードにおいて当りのうち約９７％が確変付きの大当りとなり、約３％が通常大当りとなる。
【００９６】
図１１は、連続当り回数が確変連続上限回数に達したときに参照する第４図柄判定テーブルを模式的に示す図である。第１当否判定手段１１３および第２当否判定手段１１７は、当否抽選の結果が大当りに該当した場合であっても、連続当り回数が確変連続上限回数に達したときの図柄判定においては、本図の第４図柄判定テーブル４０４を参照する。第４図柄判定テーブル４０４には、特別図柄番号「１１」の特別図柄にすべての図柄抽選値が対応付けられている。特別図柄番号「１１」の特別図柄は、確変を伴わず、入球容易状態の付与も伴わない大当りを示す図柄である。これにより、連続当り回数が確変連続上限回数に達したときは１００％の確率で確変も入球容易状態も伴わない大当りとなって準備モードへ移行する。なお、本実施例においては、特別図柄番号「１１」の特別図柄にすべての図柄抽選値を対応付けた例を説明した。変形例では、確変は伴わないが入球容易状態は伴う大当りを示す別の特別図柄に一部の図柄抽選値を対応付けることで、そのような大当りが低い確率で発生するような図柄判定テーブルとしてもよい。
【００９７】
図１２は、連続当り回数が入球容易連続上限回数に達したときに参照する第５図柄判定テーブルを模式的に示す図である。第１当否判定手段１１３および第２当否判定手段１１７は、当否抽選の結果が大当りに該当した場合であっても、連続当り回数が入球容易連続上限回数に達したときの図柄判定においては、本図の第５図柄判定テーブル４０５を参照する。第５図柄判定テーブル４０５には、特別図柄番号「２２」〜「３１」の特別図柄と図柄抽選値との対応関係が定められている。
【００９８】
特別図柄番号「２２」〜「３１」のうち「２３」「２５」「２７」「２９」「３１」が確変付きであって入球容易状態を伴わない大当りに対応付けられ、残りの特別図柄番号「２２」「２４」「２６」「２８」「３０」が確変も入球容易状態も伴わない大当りに対応づけられている。図示するとおり、確変も入球容易状態も伴わない大当りに対しては「０、１」「５２、５３」「１０４、１０５」「１５６」「２０７」の計８個の抽選値が対応づけられているにすぎないのに対し、確変付きであって入球容易状態を伴わない大当りに対しては残りの抽選値、すなわち２４８個の抽選値が対応づけられている。これにより、連続当り回数が入球容易連続上限回数に達したときは、当りのうち約９７％が確変付きであって入球容易状態を伴わない大当りとなって通常モードへ移行し、約３％が確変も入球容易状態も伴わない大当りとなって準備モードへ移行する。
【００９９】
図１３は、当否抽選の結果が外れに該当した場合に参照する第６図柄判定テーブルを模式的に示す図である。本図に示す通り、第６図柄判定テーブル４０６においては、外れを示す特別図柄番号「０」は当否判定結果が外れの場合における全範囲の図柄抽選値に対応付けられている。
【０１００】
以上の通り、当否抽選が当りの場合、その特別遊技後の遊技状態が確変状態となるか否かおよび入球容易状態となるか否かは、特定判定手段１２１による判定結果と、第１抽選手段１２６および第２抽選手段１２８による図柄決定結果とによって決定される。
【０１０１】
図３に戻り、第１パターン決定手段１１４は、第１特別図柄表示装置７０および演出表示装置６０に表示させる図柄変動の表示過程が定められた変動パターンを、別途取得するパターン抽選値に基づいて複数の変動パターンの中から決定する。第２パターン決定手段１１９は、第２特別図柄表示装置７１および演出表示装置６０に表示させる図柄変動の表示過程が定められた変動パターンを、別途取得するパターン抽選値に基づいて複数の変動パターンの中から決定する。第１パターン決定手段１１４および第２パターン決定手段１１９は、それぞれ図柄変動を開始する際に変動パターンテーブルを参照してその図柄変動の変動パターンを決定する。第１パターン決定手段１１４および第２パターン決定手段１１９は、変動パターンを決定するために参照する変動パターンテーブルをそれぞれ複数保持する。複数種の変動パターンは、長短様々な変動時間をもつとともに、その変動時間にて複数の図柄で構成される装飾図柄による図柄変動も実行されることを前提として規定される。各変動パターンには、その図柄変動の終了条件としてパターンごとに変動表示時間が定められており、その変動表示時間の経過時に特別図柄および装飾図柄の変動が停止される。
【０１０２】
普図抽選手段１２９は、作動口６８を遊技球が通過したときに抽選値（以下「普図抽選値」ともいう）を取得することにより抽選を実行する。普図抽選手段１２９が参照する当否テーブルには、当りまたは外れの判定結果と普図抽選値とが対応付けられており、対応付けられた当りの範囲設定に応じて当否確率が定まる。入球容易状態では２５０／２５６程度の高確率で当たるよう設定され、作動口６８を遊技球が通過するとほぼ確実に第２始動口６３が拡開される。逆に通常状態では１／２５６程度の低確率に設定される。普図抽選手段１２９による抽選の結果は、普通図柄表示装置５９において普通図柄１９５の形で変動表示される。普図抽選手段１２９は、普通図柄表示装置５９に表示させる普通図柄１９５の停止図柄を決定するために参照すべき図柄範囲テーブルを保持する。その図柄範囲テーブルには普図抽選値と普通図柄１９５の対応関係が定められており、普図抽選手段１２９は、普通図柄１９５の停止図柄を図柄範囲テーブルを参照して決定する。
【０１０３】
普図抽選手段１２９は、また、普通図柄１９５の変動時間を決定するために参照すべき時間決定テーブルを保持し、内部状態に応じて普通図柄１９５の変動時間を選択する。普図抽選手段１２９は、通常状態における普通図柄１９５の変動表示において３０秒から６０秒の間で比較的長い変動時間をランダムに選択する。一方、入球容易状態においては２秒と通常状態よりも相当短い変動時間を選択する。時間決定テーブルには、このような内部状態と普通図柄１９５の変動時間との対応関係が定められており、普図抽選手段１２９は、普通図柄１９５の変動時間を時間決定テーブルを参照して決定する。
【０１０４】
普通図柄１９５について決定された停止図柄が所定の図柄となった場合、普通図柄１９５が当りに該当したと判定され、その停止図柄にて普通図柄１９５の変動表示が停止された後に開閉制御手段１２４が第２始動口６３の普通電動役物６５を所定時間拡開する。普通図柄の抽選値は、保留制御手段１１６により一時的に保留される。ただし、保留制御手段１１６により保留される所定の保留上限数を超えない場合にだけ抽選値が保留される。
【０１０５】
保留制御手段１１６は、特図保留手段１４４、普図保留手段１４７を含む。特図保留手段１４４は、新たに第１の抽選が実行されるときにそれ以前の抽選に対応する図柄変動が表示されている場合、新たな第１の抽選の結果をその抽選に対応する図柄の変動表示開始まで保留する。本実施例では第１の抽選の結果として４個を上限として当否抽選値を保持するが、その当否抽選値の当否判定結果とともに保持してもよい。その保留数が第１特別図柄保留表示装置２０の点灯数により表される。特図保留手段１４４は、また、新たに第２の抽選が実行されるときにそれ以前の抽選に対応する図柄変動が表示されている場合、新たな第２の抽選の結果をその抽選に対応する図柄の変動表示開始まで保留する。本実施例では第２の抽選の結果として４個を上限として当否抽選値を保持するが、その当否抽選値の当否判定結果とともに保持してもよい。その保留数が第２特別図柄保留表示装置２１の点灯数または点滅数により表される。普図保留手段１４７は、普図抽選手段１２９により取得された普図抽選値を保留球として保持する。その保留数が普通図柄保留表示装置２２の点灯数または点滅数により表される。
【０１０６】
メイン表示制御手段１１８は、第１特図制御手段１４８、第２特図制御手段１５０、普図制御手段１５３を含む。第１特図制御手段１４８は、第１抽選手段１２６による第１の抽選の結果として決定された変動パターンにしたがい第１特別図柄１９２の変動を第１特別図柄表示装置７０に表示させる。第１特図制御手段１４８は、それ以前になされた第１の抽選または第２の抽選に対応する図柄の変動表示が終了したことを新たな図柄変動の開始条件とする。第２特図制御手段１５０は、第２抽選手段１２８による第２の抽選の結果として決定された変動パターンにしたがい第２特別図柄１９３の変動を第２特別図柄表示装置７１に表示させる。第２特図制御手段１５０もまた、それ以前になされた第１の抽選または第２の抽選に対応する図柄の変動表示が終了していることを新たな図柄変動の開始条件とする。
【０１０７】
第１特図制御手段１４８および第２特図制御手段１５０は、第１特別図柄１９２および第２特別図柄１９３の変動表示を開始するタイミングと停止するタイミングにて、変動開始コマンドと変動停止コマンドを演出表示制御手段１３４へ送信する。変動開始コマンドを送信するとき、決定された当否判定結果、停止図柄、変動パターンのそれぞれを示す値を変動開始コマンドとともに演出表示制御手段１３４へ送信する。変動停止コマンドを送信するとき、あらためて停止図柄を示す値を変動停止コマンドとともに演出表示制御手段１３４へ送信する。これにより、メイン表示制御手段１１８および演出表示制御手段１３４による変動表示が同期し、連動が保たれる。普図制御手段１５３は、普図抽選手段１２９による抽選の結果を普通図柄１９５の変動表示として普通図柄表示装置５９に表示させる。
【０１０８】
特図調整手段１５２は、第１特別図柄１９２および第２特別図柄１９３のうち、一方を変動表示させる間は他方の変動表示の開始を待機させる。特図調整手段１５２は、第１始動口６２および第２始動口６３のうちいずれに遊技球が入球したかの順序に関係なく、第２始動口６３への入球に基づく第２特別図柄１９３の変動表示を、第１始動口６２への入球に基づく第１特別図柄１９２の変動表示より優先させる。例えば、第１当否抽選値および第２当否抽選値の双方が保留されているとき、つねに第２当否抽選値を優先的に消化させ、第２特別図柄１９３を連続的に変動表示させる。これにより、出玉の獲得が期待できない第１始動口６２への入球よりも、出玉の獲得が期待できる第２始動口６３への入球に基づく図柄変動が優先的に実行されるため、遊技者の期待に添った遊技の進行が実現される。
【０１０９】
なお、変形例における特図調整手段１５２は、第１特別図柄１９２の変動表示と第２特別図柄１９３の変動表示とを、第１始動口６２および第２始動口６３への入球順序にしたがって選択的に変動表示させてもよい。例えば、第１始動口６２、第１始動口６２、第２始動口６３の順序で入球したときは、第１特別図柄１９２、第１特別図柄１９２、第２特別図柄１９３の順序で変動表示される。この場合、特図調整手段１５２は保留制御手段１１６を監視して当否抽選値の保留順序を記憶する。どちらの特別図柄を変動させるべきかが遊技球の入球順、すなわち保留制御手段１１６における当否抽選値の保留順序にしたがって決定されるので、遊技者は変動の順序を視覚的に把握しやすい。
【０１１０】
別の変形例における特図調整手段１５２は、第１特別図柄１９２の変動表示と第２特別図柄１９３の変動表示とを、入球順序にかかわらず予め定められた消化順序にて表示させてもよい。例えば、第１特別図柄１９２の変動表示と第２特別図柄１９３の変動表示とを交互に表示することを優先してもよい。例えば、第１当否抽選値および第２当否抽選値の双方が保留されているとき、第１特別図柄１９２と第２特別図柄１９３とが交互に変動表示される。いずれの特別図柄を変動させるべきかが遊技球の入球順に関係なく単純に交互に入れ替わるので、遊技者は変動の順序を感覚的に把握しやすい。
【０１１１】
特図調整手段１５２は、また、第１特別図柄１９２および第２特別図柄１９３のうち、一方が当り態様で停止されたときは他方の変動表示の開始を待機させる。この場合、特別遊技を実行する間は特別図柄の変動表示は開始されないので、遊技者は特別遊技に集中することができる。
【０１１２】
特別遊技制御手段１２０は、第１抽選手段１２６による第１の抽選が特別遊技への移行を示す結果となった場合、第１特別図柄１９２が所定の大当り態様で停止されたときに特別遊技作動条件が成立したと判定し、大入賞口９１を開放させることにより特別遊技を実行する。同様に、特別遊技制御手段１２０は、第２抽選手段１２８による第２の抽選が特別遊技への移行を示す結果となった場合、第２特別図柄１９３が所定の大当り態様で停止されたときに特別遊技作動条件が成立したと判定し、大入賞口９１を開放させることにより特別遊技を実行する。
【０１１３】
特別遊技は、大入賞口９１の開閉動作を複数回連続して継続する遊技であり、１回の開閉を単位とした複数回の単位遊技で構成される。第１始動口６２への入球を契機とした大当りの場合は短縮特別遊技として２回の単位遊技で構成される２Ｒ特別遊技を実行する。２Ｒ特別遊技では、１回の単位遊技において大入賞口９１を原則として約０．２秒間開放させる。第２始動口６３への入球を契機とした大当りの場合は通常特別遊技として８回の単位遊技で構成される８Ｒ特別遊技を実行する。８Ｒ特別遊技では、１回の単位遊技において大入賞口９１を原則として約３０秒間開放させる。特別遊技制御手段１２０は、単位遊技の設定ラウンド数を消化したときに特別遊技を終了させる。
【０１１４】
このように、特別遊技制御手段１２０は、遊技者が獲得できる利益の大きさ、すなわち出玉量の多さが異なる複数種の特別遊技のうちいずれの特別遊技を実行するかは、その当りが第１始動口６２と第２始動口６３のいずれへの入球を契機としたかで異なる。その結果、第１始動口６２への入球を契機とした当りであれば第２始動口６３への入球を契機とした当りよりも高い確率で相対的に利益の小さい短縮特別遊技を実行することとなる。逆に、その当りが第２始動口６３への入球を契機とした当りであれば第１始動口６２への入球を契機とした当りよりも高い確率で相対的に利益の大きい通常特別遊技を実行することとなる。また、第２始動口６３は、入球容易状態である連チャンモードでなければ容易に拡開しないため、通常モードや準備モードでは滅多に拡開せず入球困難な状態であるのに対して、連チャンモードでは頻繁に拡開して入球容易な状態となる。したがって、特別遊技制御手段１２０は、通常モードや準備モードでの当りの場合は短縮特別遊技を実行する可能性が高く、連チャンモードでの当りの場合は通常特別遊技を実行する可能性が高い。
【０１１５】
特定遊技制御手段１２２は、確率変動手段１５４および入球変動手段１５６を有し、確変状態および入球容易状態における通常遊技を制御する。確率変動手段１５４は、確変付きの大当りであった場合に作動し、その特別遊技の終了後に遊技状態を確変状態に移行させる。確変状態へ移行してからの特別図柄の変動回数が、確変終期として予め定められた確変終期回数（本実施例では１０回〜１００回）に達したとき、確率変動手段１５４は非作動となって遊技状態が通常の確率状態へ戻される。また、確変状態のまま発生する当りの連続回数が確変連続上限回数（本実施例では３０回）に達したときも、確率変動手段１５４は非作動となって遊技状態が通常の確率状態へ戻される。
【０１１６】
入球変動手段１５６は、入球容易状態の付与を伴う大当りであった場合に作動し、その特別遊技の終了後に遊技状態を入球容易状態に移行させる。入球容易状態においては、普通図柄抽選が当りとなる確率が通常入球状態よりも高くなり、さらに第２始動口６３が拡開する期間が通常入球状態よりも相対的に長くなる開放延長がなされる。入球容易状態においては、第１特別図柄１９２および第２特別図柄１９３の変動表示時間が概ね短くなるよう、第１パターン決定手段１１４および第２パターン決定手段１１９が変動時間の短い変動パターンを選択する。入球容易状態へ移行してからの特別図柄の変動回数が入球容易終期として予め定められた入球容易終期回数（本実施例では３０回）に達したとき、入球変動手段１５６は非作動となって遊技状態が通常の入球状態へ戻される。また、入球容易状態のまま発生する当りの連続回数が入球容易連続上限回数（本実施例では２０回）に達したときも、入球変動手段１５６は非作動となって遊技状態が通常入球状態へ戻される。
【０１１７】
開閉制御手段１２４は、第２始動口６３の普通電動役物６５や大入賞口９１の開閉を制御する。開閉制御手段１２４は、普通図柄１９５が特定の態様で停止されると、普通電動役物ソレノイド７６に開放指示を送り、第２始動口６３の普通電動役物６５を開放させる。開閉制御手段１２４は、入球容易状態においては普通電動役物６５を通常状態に比べて長い時間作動させ、第２始動口６３を通常状態に比べて長い時間拡開させる開放延長を実行する。第２始動口６３の入球容易性を高め、遊技者が持ち玉を減らさずに遊技を継続できるようにするものである。開閉制御手段１２４は、特別遊技においては大入賞口ソレノイド７８に開放指示を送り、大入賞口９１を開放させる。
【０１１８】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当りへの期待度の高さを変動表示の停止前に前兆として予告的に示唆する複数の予告演出パターンとが含まれる。
【０１１９】
演出決定手段１３２は、第１抽選手段１２６から受け取る第１の抽選の結果または第２抽選手段１２８から受け取る第２の抽選の結果に応じて、演出表示制御手段１３４によって演出表示装置６０へ表示させる演出内容を決定する。演出決定手段１３２は、第１パターン決定手段１１４または第２パターン決定手段１１９により決定された特別図柄の変動パターンに対応する複数の変動演出パターンデータの中からいずれかを選択してパターン記憶手段１３０から読み出す。演出決定手段１３２は、読み出した変動演出パターンの情報を演出表示制御手段１３４へ送る。演出決定手段１３２は、変動演出パターンを選択するために参照すべきパターンテーブルを保持する。
【０１２０】
各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の変動演出パターンを選択する。
【０１２１】
図柄態様決定手段１３１は、装飾図柄１９０の停止図柄の組合せとその配置を、第１抽選手段１２６または第２抽選手段１２８による抽選の結果、特別図柄の停止図柄、特別図柄の変動パターン、装飾図柄の変動演出パターンに応じて決定する。図柄態様決定手段１３１は、決定した停止図柄の組合せを示す情報を演出表示制御手段１３４へ送信する。図柄態様決定手段１３１は、装飾図柄の停止図柄を決定するために参照すべき図柄範囲テーブルを保持する。
【０１２２】
装飾図柄１９０の停止図柄は、３つの図柄の組合せとして形成され、例えば第２始動口６３への入球を契機とした通常特別遊技に対応する当りであった場合は「７７７」や「１１１」のように同じ数字図柄が３つ揃った組合せが選択される。逆に、第１始動口６２への入球を契機とした短縮特別遊技に対応する当りであった場合は、「３１２」や「９４６」のように３つの図柄が不揃いである特定の組合せが選択される。第１抽選手段１２６または第２抽選手段１２８による当否判定結果が外れであって確変終期回数に達する外れである場合、準備モードへ移行する好ましい外れであることを示すため３つの図柄が所定規則で並ぶ「１２３」「７８９」のような特別な組合せが選択される。確変終期回数に達する外れ以外の外れであった場合は、上述の特定の組合せや特別な組合せ以外の不揃いな３つの図柄の組合せが選択される。当否判定結果が外れを示す場合であって、リーチ付きの外れを示す特別図柄の変動パターンが選択された場合は、「１９１」や「７２７」のように一つだけ図柄が揃っていない組合せを選択する。演出決定手段１３２は、装飾図柄１９０の停止図柄組合せと装飾図柄の変動パターンデータを演出表示制御手段１３４へ送る。なお、通常モードは入球容易状態ではないため、第１始動口６２への入球を契機とした当り、すなわち短縮特別遊技しかほぼ発生しない構成である。ただし変形例としては、通常モードにおける第１始動口６２への入球を契機とした当りのうち、低い確率で通常特別遊技を発生させる構成としてもよい。この場合、高い確率で確変を伴う当りであって準備モードへ移行できない当りであるため、好ましい当りではないものの、出玉が獲得できる当りではあるため、図柄態様決定手段１３１は３つの数字図柄が揃った組合せで装飾図柄を選択してもよい。
【０１２３】
装飾図柄の変動パターンには、装飾図柄の変動表示態様、すなわち装飾図柄の変動開始から変動停止までの演出過程が定義される。変動パターンには、通常の外れ図柄を表示するときのパターンと、あと一つ図柄が揃えば大当りとなるリーチ状態を経て外れ図柄を表示するときのパターンと、リーチ状態を経て大当り図柄を表示するときのパターンが含まれる。特に、リーチ状態を経るときのパターンとしては、長短様々な変動時間をもつパターンが含まれる。各変動パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい装飾図柄の変動パターンを選択する。
【０１２４】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。
【０１２５】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【０１２６】
演出決定手段１３２は、当否抽選の結果に応じて演出表示装置６０に予告演出を表示させるか否かを所定の予告抽選により決定して前兆設定をするとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるよう、当否抽選の結果と予告演出を表示するか否かの対応関係が定められる。これにより、予告演出が表示されること自体で大当りへの期待度の高さを示唆することができる。
【０１２７】
演出決定手段１３２は、遊技状態が現在どの状態にあるかを遊技者へ示すために、遊技状態に応じた画面の表示内容を決定する。本実施例においては、演出決定手段１３２は遊技状態に応じて画面の背景色を決定する。演出決定手段１３２は、遊技状態の移行があったとき、その移行に合わせて画面背景色の変化を決定する。例えば、当否抽選が当りとなったことにより、通常モード、準備モード、連チャンモードの間で遊技状態が移行された場合はもちろん画面の背景色を変化させる。また、通常モードにおける外れの連続回数が確変終期回数に達して準備モードへ移行した場合や、連チャンモードにおける外れの連続回数が入球容易終期回数に達して通常モードまたは準備モードへ移行した場合にも、画面の背景色を変化させる。さらに、通常モードにおける当りの連続回数が確変連続上限回数に達して準備モードへ移行した場合や、連チャンモードにおける当りの連続回数が入球容易連続上限回数に達して通常モードまたは準備モードへ移行した場合にも、画面の背景色を変化させる。これにより、遊技者は画面の背景色やその変化を見ることで現在の遊技状態を容易に把握することができる。なお、変形例として、現在の遊技状態を遊技者に示すために、背景色に限らず文字、絵、模様、音等の他の要素を用いて画面に表示する仕様を採用してもよい。
【０１２８】
演出表示制御手段１３４は、第１抽選手段１２６または第２抽選手段１２８による当否抽選の結果として、選択された変動演出パターンデータにしたがって演出表示装置６０へ装飾図柄１９０を含む演出画像を変動表示させる。演出表示制御手段１３４は、装飾図柄１９０の変動開始コマンドを受け取ったときに新たな図柄変動を開始させる。
【０１２９】
演出表示制御手段１３４は、予告演出を表示させる旨が演出決定手段１３２により決定された場合、選択された予告演出パターンにしたがった予告演出を図柄変動の演出に重畳させる形で演出表示装置６０へ表示させる。演出表示制御手段１３４は、遊技状態に応じて演出決定手段１３２により決定された背景色を演出表示装置６０の画面に表示させる。演出表示制御手段１３４は、遊技効果ランプ９０の点灯および消灯や、スピーカ１８からの音声出力などの演出処理をさらに制御する。
【０１３０】
役物制御手段１３６は、演出表示制御手段１３４から受け取る指示にしたがい、演出表示装置６０における演出内容や遊技効果ランプ９０の点滅過程に沿って、可動役物１４０を演出的に動作させる。
【０１３１】
図１４は、ぱちんこ遊技機における基本的な動作過程を示すフローチャートである。まず、遊技球が第１始動口６２、第２始動口６３、一般入賞口７２、大入賞口９１などへ入球した場合の処理を実行し（Ｓ１０）、特別遊技中でなければ（Ｓ１２のＮ）、当否抽選などの通常遊技の制御処理を実行し（Ｓ１４）、特別遊技中であれば（Ｓ１２のＹ）、特別遊技の制御処理を実行し（Ｓ１６）、Ｓ１０の入賞処理においてセットされた賞球数にて各種入賞に応じた賞球払出を処理する（Ｓ１８）。
【０１３２】
図１５は、図１４におけるＳ１４の通常遊技制御処理を詳細に示すフローチャートである。通常遊技制御処理において、まだ図柄変動表示が開始されていない場合（Ｓ３０のＮ）、第２特別図柄１９３の変動表示タイミングであれば（Ｓ３２のＹ）、第２当否判定手段１１７が特図保留手段１４４から第２当否抽選値を読み出して第２の抽選の当否を判定する（Ｓ３４）。特定判定手段１２１が遊技状態に応じて確変状態への移行要否および入球容易状態への移行要否を判定するとともに遊技状態の変化があれば演出決定手段１３２が画面背景色を決定する（Ｓ３５）。第２パターン決定手段１１９が第２特別図柄１９３の変動パターンを決定し、演出決定手段１３２が決定された変動パターンに対応する装飾図柄１９０の変動演出パターンを決定する（Ｓ３８）。その後、第２特別図柄１９３および装飾図柄１９０の図柄変動が開始される（Ｓ４８）。
【０１３３】
第２当否抽選値の保留がなく、第２特別図柄１９３の変動表示タイミングではない場合であって（Ｓ３２のＮ）、第１特別図柄１９２の変動表示タイミングであった場合（Ｓ４０のＹ）、第１当否判定手段１１３が特図保留手段１４４から第１当否抽選値を読み出して第１の抽選の当否を判定する（Ｓ４２）。特定判定手段１２１が遊技状態に応じて確変状態への移行要否および入球容易状態への移行要否を判定するとともに遊技状態の変化があれば演出決定手段１３２が画面背景色を決定し（Ｓ４３）、第１パターン決定手段１１４が第１特別図柄１９２の変動パターンを決定する（Ｓ４６）。その後、第１特別図柄１９２および装飾図柄１９０の図柄変動が開始される（Ｓ４８）。第１特別図柄１９２の変動表示タイミングでなかった場合はＳ４２からＳ４６までの処理がスキップされる（Ｓ４０のＮ）。
【０１３４】
Ｓ３０において図柄変動が開始済みであった場合は（Ｓ３０のＹ）、図柄変動表示処理を実行し（Ｓ４９）、タイミングに応じた変動終了の処理がなされる（Ｓ５０）。なお、変形例として、第１特別図柄１９２の変動開始タイミングであるか、第２特別図柄１９３の変動開始タイミングであるかを、特図調整手段１５２により記憶された第１始動口６２への入賞と第２始動口６３への入賞の順序に応じて決定してもよい。
【０１３５】
図１６は、図１５におけるＳ３５およびＳ４３の遊技状態判定処理を詳細に示すフローチャートである。まず、当否抽選が当りであり（Ｓ６０のＹ）、その時点での遊技状態が通常モードであった場合（Ｓ６２のＹ）、確変連続上限回数に達していれば（Ｓ６６のＹ）、第４図柄判定テーブル４０４を参照して特別図柄の停止図柄を決定し（Ｓ６９）、特定判定手段１２１は準備モードへ移行する決定をするとともに演出決定手段１３２が準備モードの画面背景色を決定する（Ｓ７０）。確変連続上限回数に達していなければ（Ｓ６６のＮ）、第１図柄判定テーブル４０１を参照して特別図柄の停止図柄を決定し（Ｓ６７）、特定判定手段１２１は通常モードまたは準備モードへ移行する決定をするとともに演出決定手段１３２が通常モードまたは準備モードの画面背景色を決定する（Ｓ６８）。なお、実際に通常モードとなるか準備モードとなるかは、Ｓ６７において決定された特別図柄の停止図柄により決定され、確変を伴う大当りを示す図柄であった場合に通常モードとなり、確変を伴わない大当りを示す図柄であった場合に準備モードとなる。
【０１３６】
当りの時点での遊技状態が通常モードではなく（Ｓ６２のＮ）、準備モードであった場合（Ｓ７２のＹ）、第１始動口６２への入球を契機とした当りであれば（Ｓ７４のＹ）、第３図柄判定テーブル４０３を参照して特別図柄の停止図柄を決定し（Ｓ７５）、特定判定手段１２１は確変を伴うか否かにかかわらず連チャンモードへ移行する決定をするとともに演出決定手段１３２が連チャンモードの画面背景色を決定する（Ｓ７６）。一方、第２始動口６３への入球を契機とした当りであれば（Ｓ７４のＮ）、第３図柄判定テーブル４０３を参照して特別図柄の停止図柄を決定し（Ｓ７７）、特定判定手段１２１は通常モードまたは準備モードへ戻す決定をするとともに演出決定手段１３２が通常モードまたは準備モードの画面背景色を決定する（Ｓ７８）。なお、実際に通常モードとなるか準備モードとなるかは、Ｓ７７において決定された特別図柄の停止図柄により決定され、確変を伴う大当りを示す図柄であった場合に通常モードとなり、確変を伴わない大当りを示す図柄であった場合に準備モードとなる。ただし、この場合、約９７％という極めて高い確率で確変を伴う大当りとなって通常モードへ移行することとなる。
【０１３７】
準備モードでもなく連チャンモードであった場合（Ｓ７２のＮ）、入球容易連続上限回数に達していれば（Ｓ７９のＹ）、第５図柄判定テーブル４０５を参照して特別図柄の停止図柄を決定し（Ｓ８０）、特定判定手段１２１は通常モードまたは準備モードへ移行する決定をするとともに演出決定手段１３２が通常モードまたは準備モードの画面背景色を決定する（Ｓ８１）。入球容易連続上限回数に達していなければ（Ｓ７９のＮ）、第２図柄判定テーブル４０２を参照して特別図柄の停止図柄を決定し（Ｓ８２）、特定判定手段１２１は連チャンモードへ移行する決定をするとともに演出決定手段１３２が連チャンモードの画面背景色を決定する（Ｓ８３）。当否抽選が当りでない場合は（Ｓ６０のＮ）、第６図柄判定テーブル４０６を参照して特別図柄の停止図柄を決定する（Ｓ８４）。
【０１３８】
図１７は、図１５におけるＳ５０の変動終了処理を詳細に示すフローチャートである。変動表示中の図柄について所定の変動時間が経過して図柄表示の停止タイミングに達したときは（Ｓ９０のＹ）、表示中の図柄変動を停止する（Ｓ９２）。このとき、当否抽選の結果が当りであれば（Ｓ９３のＹ）、特別遊技へ移行する（Ｓ９４）。一方、当否抽選の結果が外れでれば（Ｓ９３のＮ）、確変状態や入球容易状態の終期に到達したか否かを判定するための連続回数ｎ（特別遊技後の図柄変動回数）を１インクリメント（更新）する。その時点での遊技状態が通常モードであった場合（Ｓ９６のＹ）、外れの連続回数ｎが確変終期回数ｎ１に達していれば（Ｓ９８のＹ）、準備モードへ移行する（Ｓ１００）。一方、確変終期回数ｎ１に達していなければ（Ｓ９８のＮ）、Ｓ１００をスキップして本図のフローを終了する。通常モードではなく（Ｓ９６のＮ）、連チャンモードであった場合（Ｓ１０２のＹ）、外れの連続回数ｎが入球容易終期回数ｎ２に達していれば（Ｓ１０４のＹ）、その時点で確変状態であれば（Ｓ１０６のＹ）、通常モードへ移行して演出表示制御手段１３４が通常モードの画面背景色を表示させる（Ｓ１０８）。確変状態でなければ（Ｓ１０６のＮ）、準備モードへ移行して演出表示制御手段１３４が準備モードの画面背景色を表示させる（Ｓ１１０）。入球容易終期回数ｎ２に達していなければ（Ｓ１０４のＮ）、Ｓ１０６以降の処理をスキップして本図のフローを終了する。また、連チャンモードでもない場合もまた本図のフローを終了する（Ｓ１０２のＮ）。図柄表示の停止タイミングに達していない場合も（Ｓ９０のＮ）、Ｓ９２以降の処理をスキップして本図のフローを終了する。なお、本実施例では確変終期回数に達したか否かの判定（Ｓ９８）や入球容易終期回数に達したか否かの判定（Ｓ１０４）を図柄変動の停止後に実行する例を説明した。変形例としては、それよりも前のタイミング、例えば図柄変動の開始前において確変終期回数や入球容易終期回数に達したか否かを判定する構成としてもよい。
【０１３９】
図１８は、図１４におけるＳ１６の特別遊技を詳細に示すフローチャートである。まず、大入賞口９１がまだ開放済でない場合（Ｓ３００のＮ）、演出表示制御手段１３４が特別遊技の演出処理を開始し（Ｓ３０２）、開閉制御手段１２４が大入賞口９１を開放する（Ｓ３０４）。大入賞口９１が開放済であればＳ３０２およびＳ３０４をスキップする（Ｓ３００のＹ）。大入賞口９１が開放されてから、所定の開放時間が経過した場合（Ｓ３０６のＹ）、または、開放時間が経過していないものの（Ｓ３０６のＮ）、大入賞口９１への入球数が９球以上に達した場合（Ｓ３０８のＹ）、開閉制御手段１２４が大入賞口９１を閉鎖させる（Ｓ３１０）。開放時間が経過しておらず（Ｓ３０６のＮ）、大入賞口９１への入球数も９球以上に達していない場合は（Ｓ３０８のＮ）、Ｓ３１０以降の処理をスキップしてＳ１６のフローを終了する。
【０１４０】
Ｓ３１０における大入賞口９１の閉鎖後、単位遊技が最終ラウンドに達していた場合（Ｓ３１２のＹ）、演出表示制御手段１３４は特別遊技の演出処理を終了させ（Ｓ３１４）、特別遊技制御手段１２０は特別遊技を終了させる（Ｓ３１６）。そして、特定遊技制御手段１２２は、その特別遊技が図１５のＳ３５またはＳ４３の決定処理により特定遊技への移行（確変状態への移行や入球容易状態への移行）を伴う当りによるものであった場合は、その特定遊技の終了条件等を設定する特定遊技設定処理を実行する（Ｓ３１７）。そして、その特定遊技を開始する（Ｓ３１８）。このとき、演出表示制御手段１３４が遊技状態に応じた画面背景色を表示させる。単位遊技が最終ラウンドに達していなければ（Ｓ３１２のＮ）、ラウンド数に１を加算してＳ１６のフローを終了する（Ｓ３１９）。
【０１４１】
図１９は、図１８におけるＳ３１７の特定遊技設定処理を詳細に示すフローチャートである。特定遊技制御手段１２２は、図１５のＳ３５またはＳ４３の処理にて決定されたモードへ移行するに際し、確変終期回数とそのセット回数、および入球容易終期回数を決定する。すなわち、確変終期回数のセット回数が設定されていることを示すセットフラグがオフであれば（Ｓ３３０のＮ）、図１８のＳ３１６にて終了された特別遊技の契機となった当りについて決定された図柄を用いて図柄判定テーブルを参照し、確変終期回数ｎ１を設定する（Ｓ３３６）。すなわち、特定遊技制御手段１２２は、Ｓ３５またはＳ４３の処理で参照された図柄判定テーブルを参照し、同処理で決定された図柄に対応する確変終期回数ｎ１を決定する。なお、確変状態は通常モード３００または連チャンモード３０４にて設定され、準備モード３０２では設定されないのは上述のとおりである。通常モード３００であれば図６に示した第１図柄判定テーブル４０１が参照され、既に決定された図柄に対応する確変終期回数ｎ１が選択される。連チャンモード３０４であれば図８に示した第１図柄判定テーブル４０１が参照され、既に決定された図柄に対応する確変終期回数ｎ１が選択される。
【０１４２】
続いて、その図柄（確変終期回数ｎ１）に応じたセット回数設定テーブルを参照し、抽選によりセット回数Ｎsetを決定する（Ｓ３３８）。通常モード３００であれば、確変終期回数ｎ１に応じて図７に示したセット回数設定テーブル（第１テーブル４１１〜第５テーブル４１５）のいずれかが参照される。連チャンモード３０４であれば、確変終期回数ｎ１に応じて図９に示したセット回数設定テーブル（第１テーブル４２１〜第５テーブル４２５）のいずれかが参照される。特定遊技制御手段１２２は、セット回数Ｎsetを決定に先だって「０〜２５５」の中から抽選値を取得し、セット回数設定テーブルを参照してその抽選値に対応したセット回数Ｎsetを決定する。このとき、セット回数Ｎsetが１よりも大きければ（Ｓ３４０のＹ）、Ｓ３３６にて設定された確変終期回数ｎ１の繰り返しが決定されたことになるため、それを示すセットフラグをオンにする（Ｓ３４２）。また、セット回数Ｎsetに到るまでの初回の繰り返し実行回数として１をセットする（Ｓ３４４）。セット回数Ｎsetが１以下であれば（Ｓ３４０のＮ）、Ｓ３３６にて設定された確変終期回数ｎ１の繰り返しが決定されなかったことになるため、Ｓ３４２およびＳ３４４の処理をスキップする。
【０１４３】
一方、既にセット回数Ｎsetに基づいて確変状態へ移行されてセットフラグがオンにされ（Ｓ３３０のＹ）、その実行回数Ｎがセット回数Ｎsetに到達していれば（Ｓ３３２のＹ）、セットフラグをオフにし（Ｓ３３４）、Ｓ３６６以降の処理を実行する。また、実行回数Ｎがセット回数Ｎsetに到達していなければ（Ｓ３３２のＮ）、実行回数Ｎを１インクリメントしたうえで（Ｓ３４６）、前回と同じ確変終期回数ｎ１を設定する（Ｓ３４８）。これにより、同じ確変終期回数ｎ１が繰り返されることになる。
【０１４４】
このようにして確変終期回数ｎ１やセット回数Ｎsetが設定されると、特定遊技制御手段１２２は、入球容易終期回数ｎ２を設定するとともに（Ｓ３５０）、特別遊技終了からの外れの連続回数ｎのカウントを開始するためにこれを一旦ゼロクリアする（Ｓ３５２）。なお、準備モード３０２の場合には、確変状態にも入球容易状態にもならないため、本図の処理については実行が省略される。
【０１４５】
上記の実施例では、連チャンモードにおける当りは高い確率で確変状態および入球容易状態への移行の付与を伴う当りとなる構成を説明した。その変形例としては、連チャンモードにおける当りのすべてが確変状態および入球容易状態への移行の付与を伴う当りを発生させる構成としてもよい。
【０１４６】
上記の実施例では、準備モードにおいて第２始動口６３への入球を契機とする当りのうち低い確率で確変を伴わない当りとなる構成を説明した。その変形例としては、第２始動口６３への入球を契機とする当りをすべて確変を伴う当りとして通常モードへ移行させる構成としてもよい。
【０１４７】
上記の実施例では、確変状態の継続期間を確変終期回数、つまり特別図柄の変動回数により規定する例を示した。変形例においては、確変状態の継続期間を時間により規定してもよい。具体的には、通常モード３００と連チャンモード３０４のそれぞれについて、特別図柄の停止図柄に対応づけるように異なる時間値（確変終期時間）を設定してもよい。そして、各確変終期時間に対してセット回数を決定するようにしてもよい。
上記の実施例では、入球容易終期回数を一定値（３０回）とする例を示した。変形例においては、入球容易終期回数を図柄抽選値（特別図柄番号）に応じて異なるように設定してもよい。例えば、入球容易終期回数が多くなるほど確変終期回数が多くなるようテーブルを構成してもよい。例えば図８に示す第２図柄判定テーブル４０２において、連チャンモードにおいて確変終期回数が多くなるほど、入球容易終期回数が多くなるようにしてもよい。具体的には、第２図柄判定テーブル４０２における確変終期回数の１０回および３０回については入球容易終期回数を上記実施例と同様に３０回とし、確変終期回数の５０回，７０回，１００回のそれぞれについて入球容易終期回数を一致させてもよい。あるいは、確変終期回数の５０回，７０回，１００回のそれぞれについて、入球容易終期回数がそれより多くなるよう設定してもよい。また、確変終期回数が５０回，７０回，１００回のそれぞれについて入球容易終期回数の候補を複数種類ずつ設定し、確変終期回数が多くなるほど、入球容易終期回数についても回数の多いものの選択確率が高くなるように設定してもよい。あるいは、図柄抽選値に対して異なる入球容易終期回数を割り当て、各入球容易終期回数に対して確変終期回数を対応させてもよい。その場合も、入球容易終期回数が多くなるほど確変終期回数が多くなるようテーブルを構成してもよい。このように構成することで、入球容易終期回数に到達したときには確変状態よりも通常確率状態になりやすくし、通常モード３００よりも準備モード３０２へ移行しやすくできる。それにより遊技が有利に進行しやすくし、遊技者の遊技継続意欲を維持することができるようになる。
【０１４８】
（実施例２）
本実施例のぱちんこ遊技機１０は、確変終期回数およびそのセット回数を決定するためのテーブル構成が実施例１と異なる。その他の構成や遊技方法は基本的に実施例１と共通するため、相違点を中心に説明し、共通点の説明は省略する。
【０１４９】
図２０は、実施例２の通常モードにおいて当否抽選の結果が大当りに該当した場合に参照される第１図柄判定テーブルを模式的に示す図である。図２１は、実施例２の連チャンモードにおいて当否抽選の結果が大当りに該当した場合に参照される第２図柄判定テーブルを模式的に示す図である。
【０１５０】
本実施例の第１図柄判定テーブル４０１および第２図柄判定テーブル４０２は、当否抽選の結果が大当りに該当した場合の図柄を決定するテーブルとして機能するだけでなく、確変終期回数を決定するための確変終期回数設定テーブル、およびそのセット回数を決定するためのセット回数設定テーブルとしても機能する。
【０１５１】
すなわち、通常モードにおいて当否抽選の結果が大当りに該当した場合、特定遊技制御手段１２２は、図２０に示す第１図柄判定テーブル４０１を参照する。図示のように、確変終期回数と同様にセット回数が特別図柄番号に対応づけられているため、特別図柄の停止図柄が決定されれば、その確変終期回数とセット回数が一義的に決まることになる。図示の例では、確変終期回数として基準期間である「５０回」が設定されるときのセット回数は１回となる。つまり、その確変終期回数は繰り返されないことになる。ただし、既に述べたように、通常モード３００においては、確変状態を速やかに抜けて通常状態となるほうが遊技者に有利となるため、基準期間よりも図柄変動回数の少ない「１０回」および「３０回」の選択確率が、基準期間よりも図柄変動回数の多い「７０回」および「１００回」の選択確率よりも高くなっている。
【０１５２】
一方、連チャンモードにおいて当否抽選の結果が大当りに該当した場合、特定遊技制御手段１２２は、図２１に示す第２図柄判定テーブル４０２を参照する。この第２図柄判定テーブル４０２も第１図柄判定テーブル４０１と同様に、確変終期回数と同様にセット回数が特別図柄番号に対応づけられている。このため、特別図柄の停止図柄が決定されれば、その確変終期回数とセット回数が一義的に決まることになる。図示の例では、確変終期回数として基準期間である「５０回」が設定されるときのセット回数は１回となる。つまり、その確変終期回数は繰り返されないことになる。ただし、既に述べたように、連チャンモード３０４においては、確変状態が継続するほうが遊技者に有利となるため、基準期間よりも図柄変動回数の多い「７０回」および「１００回」の選択確率が、基準期間よりも図柄変動回数の少ない「１０回」および「３０回」の選択確率よりも高くなっている。
【０１５３】
このように、確変終期回数とセット回数を対応づけることで、遊技者がその確変終期回数が設定されたときの利益状態を容易に予測できるようになる。また、セット回数を決定するために別途抽選を行う必要がない。つまり、テーブル構成を簡素化できるとともに、処理負荷を低減することができるようになる。
【０１５４】
（実施例３）
本実施例のぱちんこ遊技機１０は、主に第２始動口６３の設置位置の点で実施例１と異なる。その他の構成や遊技方法は基本的に実施例１と共通するため、相違点を中心に説明し、共通点の説明は省略する。
【０１５５】
図２２は、実施例３におけるぱちんこ遊技機１０の前面側における基本的な構造を示す。図示する通り、本実施例の第２始動口６３は遊技領域５２の右下方に設けられる。また、作動口６８は第２始動口６３の上方、すなわち遊技領域５２の右側方に設けられる。第２始動口６３および作動口６８の位置は、通常のいわゆる左打ち、すなわちセンター飾り６４の左側を遊技球が流れて第１始動口６２へ向かうルートを狙って発射された遊技球のそのルートから外れた位置であって、左打ちの遊技球は入球困難な位置である。したがって、第２始動口６３へ入球すべき期間、例えば入球容易状態においては、遊技者はいわゆる右打ちによってセンター飾り６４の右側を遊技球が流れて第２始動口６３へ向かうルートを狙って発射する。作動口６８も遊技領域５２の右方に設けられることで、第２始動口６３を狙った遊技球が作動口６８にも通過しやすく、連チャンモードにおいて開放抽選の頻度向上と第２始動口６３への入球数増加を同時に狙うことができ、速やかな連続当りが期待できる。また、第２始動口６３を狙った遊技球は、本来左打ちを想定した位置に設けられた第１始動口６２には入球し難いため、第２始動口６３を狙うべき期間である入球容易状態において第１始動口６２への不用意な入球を低減できる。なお、準備モードにおいては、頻度はきわめて低いものの第２始動口６３の普通電動役物６５が開放されることもあるため、偶発的な第２始動口６３への入球により通常モードへ移行してしまう可能性が考えられる。しかし、第２始動口６３の設置位置を通常の左打ちのルートから外れた遊技領域５２の右方とすることで、そうした偶発的な第２始動口６３への入球を効果的に防止することができる。
【０１５６】
なお、実施例３では、通常入球状態においても第２始動口６３が拡開する可能性はゼロではない。また、第２始動口６３の上方は実施例１と異なり遮蔽されておらず、拡開していない状態でも普通電動役物６５には遊技球が辛うじて通過可能な幅の通路が形成されるため、拡開しなくとも入球する可能性はゼロではない。ここで、第２始動口６３の上方にいわゆる命釘と呼ばれる二つの釘が設けられ、その命釘の間隔は遊技球が辛うじて通過可能な程度の狭い幅に形成され、さらに第２始動口６３への入球を困難とし、事実上遊技球が通過しないような構造および配置としてもよい。またその場合の第２始動口６３の位置は必ずしも右打ちに最適な遊技領域５２の右方ないし右下方でなくともよく、任意の位置に設けられてもよい。
【０１５７】
（実施例４）
本実施例のぱちんこ遊技機１０は、いわゆる第１種ぱちんこ遊技機として実現される点で実施例１〜３と異なる。始動入賞口として複数の始動入賞口が用いられるが、これらは共通する単一の当否抽選に対応し、単一の特別図柄にて図柄変動を表示する点で実施例１〜３と異なる。その他の構成や遊技方法は基本的に実施例１〜３と共通するため、相違点を中心に説明し、共通点の説明は省略する。
【０１５８】
図２３は、実施例４におけるぱちんこ遊技機１０の前面側における基本的な構造を示す。第１始動口６２および第２始動口６３の配置は実施例１と同様である。ただし、第１始動口６２および第２始動口６３への入球は共通の当否抽選の契機となる。その当否抽選の当り確率は通常確率状態においては約１／２．０２であり、確率変動状態においては約１／２．００である。第１始動口６２および第２始動口６３のいずれに入球してもその当否抽選結果は共通して特別図柄表示装置７９における特別図柄１９６の変動表示により示される。第１始動口６２および第２始動口６３のいずれの入球を契機に当否抽選が当りとなっても、短縮特別遊技である２Ｒ特別遊技が実行される。したがって、本実施例における特別遊技では実質的に多くの出玉は獲得できず、基本的には第２始動口６３への入球による賞球で出玉を少しずつ増やす遊技性となるため、やはり入球容易状態となる連チャンモードが最も有利な遊技状態となる。
【０１５９】
本実施例においてもまた、入球容易状態である連チャンモードが最も遊技者に有利な遊技状態であり、その状態へ移行することを基本的な目標にして遊技を進行させる。連続当り回数が連続上限回数に達する間際になって確変を伴わない当りが出てしまうとまた最初から当りを連続させなければならなくなってしまう。本実施例によれば、そのような確変を伴わない当りが出てもチャンスモードへ移行し、その直後に発生する当りで再び確変を伴わない当りを出現させればその当りに入球容易状態が付与され、連チャンモードへ移行する。これにより、連続上限回数に達する間際になって振り出しに戻される事態に救済の途を与え、遊技意欲減退の防止を図ることができる。
【０１６０】
変形例として、第１始動口６２を設けない代わりに、第２始動口６３の上方に命釘として二つの釘を設ける構成としてもよい。その命釘の間隔は遊技球が辛うじて通過可能な程度の狭い幅に形成され、遊技球が通過困難な構造および配置とされる。この場合、通常モードおよびチャンスモードにおいては、入球容易状態でないために第２始動口６３へ頻繁には入球せず、連チャンモードになって入球容易状態となれば第２始動口６３へ多くの入球が期待できる遊技性となる。この変形例においてもまた、入球容易状態である連チャンモードが最も遊技者に有利な遊技状態であり、その状態へ移行することを基本的な目標にして遊技を進行させる点で実施例４と共通し、実施例４と同様の効果が得られる。
【０１６１】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【符号の説明】
【０１６２】
１０  ぱちんこ遊技機、  １４  扉、  ４０  電源スイッチ、  ４８  電源ユニット、  ５０  遊技盤、  ５２  遊技領域、  ５９  普通図柄表示装置、  ６２  第１始動口、  ６３  第２始動口、  ６５  普通電動役物、  １１０  入球判定手段、  １２０  特別遊技制御手段、  １２１  特定判定手段、  １２２  特定遊技制御手段、  １２６  第１抽選手段、  １２８  第２抽選手段、  １５４  確率変動手段、  １５６  入球変動手段、  ３００  通常モード、  ３０２  準備モード、  ３０４  連チャンモード。
【図１】
2011206473.tif 000003
【図２】
2011206473.tif 000004
【図３】
2011206473.tif 000005
【図４】
2011206473.tif 000006
【図５】
2011206473.tif 000007
【図６】
2011206473.tif 000008
【図７】
2011206473.tif 000009
【図８】
2011206473.tif 000010
【図９】
2011206473.tif 000011
【図１０】
2011206473.tif 000012
【図１１】
2011206473.tif 000013
【図１２】
2011206473.tif 000014
【図１３】
2011206473.tif 000015
【図１４】
2011206473.tif 000016
【図１５】
2011206473.tif 000017
【図１６】
2011206473.tif 000018
【図１７】
2011206473.tif 000019
【図１８】
2011206473.tif 000020
【図１９】
2011206473.tif 000021
【図２０】
2011206473.tif 000022
【図２１】
2011206473.tif 000023
【図２２】
2011206473.tif 000024
【図２３】
2011206473.tif 000025